(57)【要約】  本発明の実施形態は、コードブックインジケーション方法を提供する。これにより、プリコーディングの連続番号シーケンスを指定することにより、ＵＥの計算上の複雑さを低減する。本発明の実施形態はさらに、ユーザ機器を提供する。本発明の実施形態において提供される技術的解決手段は、コードブックのインジケーションを最適化し得る。
2021506177.tif 000002
【特許請求の範囲】
【請求項１】
伝送パラメータインジケーション情報を生成する段階であって、前記伝送パラメータインジケーション情報は、現在のコヒーレンス能力に対応する伝送パラメータエントリセットから選択される伝送パラメータエントリを示すために用いられ、前記伝送パラメータエントリは、伝送層の数とプリコーディング行列とを示すために用いられる、段階と、
前記伝送パラメータインジケーション情報を送信する段階と
を備える伝送パラメータインジケーション方法。
【請求項２】
前記伝送パラメータエントリは、前記伝送パラメータエントリのインデックスと、前記伝送層の数の値と、前記プリコーディング行列のインデックスとを含み、前記プリコーディング行列は、前記伝送層の数の前記値と前記プリコーディング行列の前記インデックスとの両方を用いることにより一意に決定される、請求項１に記載の方法。
【請求項３】
前記現在のコヒーレンス能力は、
「完全にコヒーレント」という能力、
「部分的なコヒーレント」という能力、および、
「非コヒーレント」という能力
のうちの１つである、
請求項１に記載の方法。
【請求項４】
各コヒーレンス能力に対応する伝送パラメータエントリセットが、少なくとも１つの伝送パラメータエントリを含み、「非コヒーレント」に対応する伝送パラメータエントリセットが、「部分的なコヒーレント」に対応する伝送パラメータエントリセットのサブセットであり、「部分的なコヒーレント」に対応する前記伝送パラメータエントリセットは、「完全にコヒーレント」に対応する伝送パラメータエントリセットのサブセットである、請求項３に記載の方法。
【請求項５】
コヒーレンス能力インジケーション情報を生成する段階であって、前記コヒーレンス能力インジケーション情報は、前記現在のコヒーレンス能力を示すために用いられる、段階
をさらに備える、請求項１に記載の方法。
【請求項６】
前記伝送パラメータインジケーション情報は、以下のとおりである、請求項１から５のいずれか一項に記載の方法。
【表４４】
2021506177.tif 000046
【表４５】
2021506177.tif 000047
【請求項７】
前記伝送パラメータインジケーション情報は、以下のとおりである、請求項１から５のいずれか一項に記載の方法。
【表４６】
2021506177.tif 000048
【表４７】
2021506177.tif 000049
【請求項８】
伝送パラメータインジケーション情報を受信する段階であって、前記伝送パラメータインジケーション情報は、現在のコヒーレンス能力に対応する伝送パラメータエントリセットから選択される伝送パラメータエントリを示すために用いられ、前記伝送パラメータエントリは、伝送層の数とプリコーディング行列とを示すために用いられる、段階と、
前記伝送パラメータインジケーション情報に従って、前記伝送層の数と前記プリコーディング行列とを決定する段階と
を備える伝送パラメータインジケーション方法。
【請求項９】
前記伝送パラメータエントリは、前記伝送パラメータエントリのインデックスと、前記伝送層の数の値と、前記プリコーディング行列のインデックスとを含み、前記プリコーディング行列は、前記伝送層の数の前記値と前記プリコーディング行列の前記インデックスとの両方を用いることにより一意に決定される、請求項８に記載の方法。
【請求項１０】
前記現在のコヒーレンス能力は、
「完全にコヒーレント」という能力、
「部分的なコヒーレント」という能力、および、
「非コヒーレント」という能力
のうちの１つである、
請求項８に記載の方法。
【請求項１１】
各コヒーレンス能力に対応する伝送パラメータエントリセットが、少なくとも１つの伝送パラメータエントリを含み、「非コヒーレント」に対応する伝送パラメータエントリセットが、「部分的なコヒーレント」に対応する伝送パラメータエントリセットのサブセットであり、「部分的なコヒーレント」に対応する前記伝送パラメータエントリセットは、「完全にコヒーレント」に対応する伝送パラメータエントリセットのサブセットである、請求項１０に記載の方法。
【請求項１２】
コヒーレンス能力インジケーション情報を生成する段階であって、前記コヒーレンス能力インジケーション情報は、前記現在のコヒーレンス能力を示すために用いられる、段階
をさらに備える、請求項８に記載の方法。
【請求項１３】
前記伝送パラメータインジケーション情報は、以下のとおりである、請求項８から１２のいずれか一項に記載の方法。
【表４８】
2021506177.tif 000050
【表４９】
2021506177.tif 000051
【請求項１４】
前記伝送パラメータインジケーション情報は、以下のとおりである、請求項８から１２のいずれか一項に記載の方法。
【表５０】
2021506177.tif 000052
【表５１】
2021506177.tif 000053
【請求項１５】
伝送パラメータインジケーション情報を生成するように構成された処理モジュールであって、前記伝送パラメータインジケーション情報は、現在のコヒーレンス能力に対応する伝送パラメータエントリセットから選択される伝送パラメータエントリを示すために用いられ、前記伝送パラメータエントリは、伝送層の数とプリコーディング行列とを示すために用いられる、処理モジュールと、
前記伝送パラメータインジケーション情報を送信するように構成されたトランシーバモジュールと
を備えるアクセスデバイス。
【請求項１６】
前記伝送パラメータエントリは、前記伝送パラメータエントリのインデックスと、前記伝送層の数の値と、前記プリコーディング行列のインデックスとを含み、前記プリコーディング行列は、前記伝送層の数の前記値と前記プリコーディング行列の前記インデックスとの両方を用いることにより一意に決定される、請求項１５に記載の方法。
【請求項１７】
前記現在のコヒーレンス能力は、
「完全にコヒーレント」という能力、
「部分的なコヒーレント」という能力、および、
「非コヒーレント」という能力
のうちの１つである、
請求項１５に記載の方法。
【請求項１８】
各コヒーレンス能力に対応する伝送パラメータエントリセットが、少なくとも１つの伝送パラメータエントリを含み、「非コヒーレント」に対応する伝送パラメータエントリセットが、「部分的なコヒーレント」に対応する伝送パラメータエントリセットのサブセットであり、「部分的なコヒーレント」に対応する前記伝送パラメータエントリセットは、「完全にコヒーレント」に対応する伝送パラメータエントリセットのサブセットである、請求項１７に記載の方法。
【請求項１９】
コヒーレンス能力インジケーション情報を生成する段階であって、前記コヒーレンス能力インジケーション情報は、前記現在のコヒーレンス能力を示すために用いられる、段階
をさらに備える、請求項１５に記載の方法。
【請求項２０】
前記伝送パラメータインジケーション情報は、以下のとおりである、請求項１５から１９のいずれか一項に記載の方法。
【表５２】
2021506177.tif 000054
【表５３】
2021506177.tif 000055
【請求項２１】
前記伝送パラメータインジケーション情報は、以下のとおりである、請求項１５から１９のいずれか一項に記載の方法。
【表５４】
2021506177.tif 000056
【表５５】
2021506177.tif 000057
【請求項２２】
伝送パラメータインジケーション情報を受信するように構成されたトランシーバモジュールであって、前記伝送パラメータインジケーション情報は、現在のコヒーレンス能力に対応する伝送パラメータエントリセットから選択される伝送パラメータエントリを示すために用いられ、前記伝送パラメータエントリは、伝送層の数とプリコーディング行列とを示すために用いられる、トランシーバモジュールと、
前記伝送パラメータインジケーション情報に従って、前記伝送層の数と前記プリコーディング行列とを決定するように構成された処理モジュールと
を備えるユーザ機器。
【請求項２３】
前記伝送パラメータエントリは、前記伝送パラメータエントリのインデックスと、前記伝送層の数の値と、前記プリコーディング行列のインデックスとを含み、前記プリコーディング行列は、前記伝送層の数の前記値と前記プリコーディング行列の前記インデックスとの両方を用いることにより一意に決定される、請求項２２に記載の方法。
【請求項２４】
前記現在のコヒーレンス能力は、
「完全にコヒーレント」という能力、
「部分的なコヒーレント」という能力、および、
「非コヒーレント」という能力
のうちの１つである。
請求項２３に記載の方法。
【請求項２５】
各コヒーレンス能力に対応する伝送パラメータエントリセットが、少なくとも１つの伝送パラメータエントリを含み、「非コヒーレント」に対応する伝送パラメータエントリセットが、「部分的なコヒーレント」に対応する伝送パラメータエントリセットのサブセットであり、「部分的なコヒーレント」に対応する前記伝送パラメータエントリセットは、「完全にコヒーレント」に対応する伝送パラメータエントリセットのサブセットである、請求項２４に記載の方法。
【請求項２６】
コヒーレンス能力インジケーション情報を生成する段階であって、前記コヒーレンス能力インジケーション情報は、前記現在のコヒーレンス能力を示すために用いられる、段階
をさらに備える、請求項２２に記載の方法。
【請求項２７】
前記伝送パラメータインジケーション情報は、以下のとおりである、請求項２２から２６のいずれか一項に記載の方法。
【表５６】
2021506177.tif 000058
【表５７】
2021506177.tif 000059
【請求項２８】
前記伝送パラメータインジケーション情報は、以下のとおりである、請求項２２から２６のいずれか一項に記載の方法。
【表５８】
2021506177.tif 000060
【表５９】
2021506177.tif 000061
【発明の詳細な説明】
【技術分野】
【０００１】
本発明の実施形態は、チャネル測定技術に関し、特に、チャネル測定方法およびユーザ機器に関する。
【背景技術】
【０００２】
第５世代（５ｔｈ−Ｇｅｎｅｒａｔｉｏｎ，５Ｇ）モバイル通信技術の新無線（ｎｅｗ  ｒａｄｉｏ，ＮＲ）は、コードブックベースのアップリンク伝送モードをサポートしている。基地局が、上位層シグナリングを介して、少なくとも１つのサウンディング基準信号（Ｓｏｕｎｄｉｎｇ  Ｒｅｆｅｒｅｎｃｅ  Ｓｉｇｎａｌ，ＳＲＳ）リソースを構成し得る。ユーザ機器（Ｕｓｅｒ  ｅｑｕｉｐｍｅｎｔ，ＵＥ）が、基地局により構成されるＳＲＳリソースとインジケーションシグナリングとに基づいて、ＳＲＳリソース上でＳＲＳを送信する。基地局は、ユーザ機器により送信されるＳＲＳを受信および測定する。基地局は、アップリンクデータを送信するようユーザをスケジューリングする場合、ダウンリンク制御情報（ＤＣＩ  Ｄｏｗｎｌｉｎｋ  ｃｏｎｔｒｏｌ  ｉｎｆｏｒｍａｔｉｏｎ，ＤＣＩ）を介して、ＳＲＳリソースインジケーション（ＳＲＳ  ｒｅｓｏｕｒｃｅ  ｉｎｄｉｃａｔｉｏｎ，ＳＲＩ）、伝送ランク（Ｔｒａｎｓｍｉｓｓｉｏｎ  ｒａｎｋ  ｉｎｄｉｃａｔｉｏｎ，ＴＲＩ）および伝送プリコーディング行列（Ｔｒａｎｓｍｉｓｓｉｏｎ  ｐｒｅｃｏｄｉｎｇ  ｍａｔｒｉｘ  ｉｎｄｉｃａｔｉｏｎ，ＴＰＭＩ）を示す。ＵＥは、インジケーション情報に従って、データ送信のために用いられる伝送層の数およびプリコーディングの方式を決定する。ＴＲＩおよびＴＰＭＩは、一緒にコーディングされ得る、言い換えると、伝送層の数とプリコーディング行列情報との両方が、１つのＤＣＩフィールド内の状態により示され得る。伝送層の数は、セット｛１，２，３，４｝から選択されて示され得る。ＴＰＭＩは、表１から表４に基づいて選択されて示される。
［表１  １層での伝送のコードブック］
【表１】
2021506177.tif 000003
［表２  ２層での伝送のコードブック］
【表２】
2021506177.tif 000004
［表３  ３層での伝送のコードブック］
【表３】
2021506177.tif 000005
［表４  ４層での伝送のコードブック］
【表４】
2021506177.tif 000006
【０００３】
各ランクについて３つのタイプのコヒーレンス能力が存在し、コヒーレンス能力の各タイプは、少なくとも１つのプリコーディング行列に対応している。例えば、表１では、１６個のプリコーディング行列が「完全にコヒーレント」からに選択されてよく、８個のプリコーディング行列が「部分的にコヒーレント」からに選択されてよく、４個のプリコーディング行列が「非コヒーレント」からに選択されてよい。ＵＥは、３つのタイプのコヒーレンス能力を報告する。基地局は、ＲＲＣシグナリングを介してコードブックサブセット制限を示し、コードブックサブセット制限は、ＴＰＭＩのコードブック選択範囲を示すために用いられる。コードブックサブセット制限は、「完全にコヒーレント」、「部分的にコヒーレント」および「非コヒーレント」をそれぞれ示す３つの状態を含む。特定のインジケーション方法は、以下のとおりである。「完全にコヒーレント」に対応するコードブックと、「部分的にコヒーレント」に対応するコードブックと、「非コヒーレント」に対応するコードブックとをＴＰＭＩにより示されるコードブックセットが含むことを示すために、一方の状態が用いられる。「部分的にコヒーレント」に対応するコードブックと、「非コヒーレント」に対応するコードブックとをＴＰＭＩにより示されるコードブックセットが含むことを示すために、他方の状態が用いられる。他方の状態は、「非コヒーレント」に対応するコードブックをＴＰＭＩにより示されるコードブックセットが含むことを示すために用いられる。これら３つの状態のうちの１つのみが示され得る。ＵＥが部分的にコヒーレントな伝送能力を報告した場合、基地局は、「完全にコヒーレント」に対応するコードブックをＴＰＭＩにより示されるコードブックセットが含むことを示すことができない。ＵＥが非コヒーレントな伝送能力を報告した場合、基地局は、「完全にコヒーレント」に対応するコードブックと、「部分的にコヒーレント」に対応するコードブックとをＴＰＭＩにより示されるコードブックセットが含むことを示すことができない。このようにして、ＴＲＩおよびＴＰＭＩを一緒にコーディングすることにより取得されるフィールドのサイズが、これら３つの状態のインジケーションに基づいて変わる。
【０００４】
表１から表４は、ユーザ機器が４つのアンテナによる伝送を有し、サイクリックプレフィックス直交周波数分割多重化（Ｃｙｃｌｉｃ  Ｐｒｅｆｉｘ−Ｏｒｔｈｏｇｏｎａｌ  Ｆｒｅｑｕｅｎｃｙ  Ｄｉｖｉｓｉｏｎ  Ｍｕｌｔｉｐｌｅ，ＣＰ−ＯＦＤＭ）波形をデータ送信のために用いる事例に対応している。ユーザ機器が２つのアンテナによる伝送を有し、ＣＰ−ＯＦＤＭ波形をデータ送信のために用いる場合、伝送層の数は、１または２であり、ＴＰＭＩの選択およびインジケーションは、表５に基づく。
［表５：ＣＰ−ＯＦＤＭ波形用の２アンテナコードブック］
【表５】
2021506177.tif 000007
【０００５】
離散フーリエ変換拡散ＯＦＤＭ（ＤＦＴ−Ｓｐｒｅａｄ−ＯＦＤＭ，ＤＦＴ−Ｓ−ＯＦＤＭ）が用いられる場合、伝送層の数としてあり得るのは１のみであり、ユーザ機器が２つのアンテナによる伝送を有する場合、ＴＰＭＩの選択およびインジケーションは表６に基づき、ユーザ機器が４つのアンテナによる伝送を有する場合、ＴＰＭＩの選択およびインジケーションは表７に基づく。加えて、ネットワークデバイスは、上位層シグナリングインジケーションを用いて伝送層の数を制限することにより、サブセットの選択を伝送層の最大数のセットからに制限して、伝送層の数とＴＰＭＩとを示し得る。これにより、伝送層の数とＴＰＭＩとを示すためのシグナリングオーバヘッドを低減できる。
［表６：ＤＦＴ−Ｓ−ＯＦＤＭ波形用の２アンテナコードブック］
【表６】
2021506177.tif 000008
［表７：ＤＦＴ−Ｓ−ＯＦＤＭ波形用の４アンテナコードブック］
【表７】
2021506177.tif 000009
【発明の概要】
【０００６】
一般的に、ユーザ機器（例としてであり限定されるものではないが、スマートフォンなどの端末デバイス）は、アップリンク基準信号（例としてであり限定されるものではないが、サウンディング基準信号（Ｓｏｕｎｄｉｎｇ  Ｒｅｆｅｒｅｎｃｅ  Ｓｉｇｎａｌ，ＳＲＳ））を送信する。アクセスデバイス（例としてであり限定されるものではないが、基地局）が、アップリンク基準信号を受信し、アップリンク基準信号に基づいてアップリンクチャネル測定を実行し、アップリンク伝送パラメータを決定し、例としてであり限定されるものではないが、ダウンリンク制御情報（Ｄｏｗｎｌｉｎｋ  Ｃｏｎｔｒｏｌ  Ｉｎｆｏｒｍａｔｉｏｎ，ＤＣＩ）を用いることによりアップリンク伝送パラメータをユーザ機器に通知する。アップリンク伝送パラメータは、例としてであり限定されるものではないが、チャネル品質インジケータ（Ｃｈａｎｎｅｌ  Ｑｕａｌｉｔｙ  Ｉｎｄｉｃａｔｏｒ，ＣＱＩ）というパラメータ、ランクインジケーション（Ｒａｎｋ  Ｉｎｄｉｃａｔｉｏｎ，ＲＩ）というパラメータおよびプリコーディング行列インジケータ（Ｐｒｅｃｏｄｉｎｇ  Ｍａｔｒｉｘ  Ｉｎｄｉｃａｔｏｒ，ＰＭＩ）というパラメータのうちの少なくとも１つを含み得る。
【０００７】
本発明の実施形態において提供される技術的解決手段では、伝送パラメータを編成するために伝送パラメータエントリセットが用いられる。具体的には、各コヒーレンス能力あ、１つの伝送パラメータエントリセットに対応している。アクセスデバイスは、必要とされる伝送パラメータエントリ（伝送パラメータインジケーション情報により示される伝送パラメータエントリ）を決定する場合、現在のコヒーレンス能力に対応する伝送パラメータエントリセットにおける各伝送パラメータエントリをトラバースし得ると共に、例としてであり限定されるものではないが、チャネル容量最大化またはチャネルスループット最大化の原理に従って、選択された伝送パラメータエントリを決定し得る。
【０００８】
前述の情報を決定する特定の処理については、従来技術を参照されたい。例えば、アクセスデバイスは、チャネル容量最大化の原理またはチャネルスループット最大化の原理に従って予め設定されたコードブックからプリコーディング行列を選択し得ると共に、プリコーディング行列の列の数をランクとして用い得る。
【０００９】
第１の態様によれば、
伝送パラメータインジケーション情報を生成する段階であって、伝送パラメータインジケーション情報は、現在のコヒーレンス能力に対応する伝送パラメータエントリセットから選択される伝送パラメータエントリを示すために用いられ、伝送パラメータエントリは、伝送層の数とプリコーディング行列とを示すために用いられる、段階と、
伝送パラメータインジケーション情報を送信する段階と
を含む伝送パラメータインジケーション方法が提供される。
【００１０】
伝送パラメータインジケーション方法は、アクセスデバイス（基地局など）により実行され得る。
【００１１】
選択された伝送パラメータエントリは、ＤＣＩを用いることにより送信され得る。
【００１２】
第１の態様に関連して、第１の態様の第１の可能な実装において、伝送パラメータエントリは、伝送パラメータエントリのインデックスと、伝送層の数の値と、プリコーディング行列のインデックスとを含み、プリコーディング行列は、伝送層の数の値とプリコーディング行列のインデックスとの両方を用いることにより一意に決定される。例えば、伝送層の数の値が１である場合、インデックス１が行列Ａを示し、または、伝送層の数の値が２である場合、インデックス１は行列Ｂを示す。従って、プリコーディング行列は、伝送層の数の値とプリコーディング行列のインデックスとの両方を用いることにより一意に決定される。
【００１３】
第１の態様に関連して、第１の態様の第２の可能な実装において、現在のコヒーレンス能力は、
「完全にコヒーレント」という能力、
「部分的なコヒーレント」という能力、および、
「非コヒーレント」という能力
のうちの１つである。
【００１４】
第１の態様の第２の可能な実装に関連して、各コヒーレンス能力に対応する伝送パラメータエントリセットが、少なくとも１つの伝送パラメータエントリを含み、「非コヒーレント」に対応する伝送パラメータエントリセットが、「部分的なコヒーレント」に対応する伝送パラメータエントリセットのサブセットであり、「部分的なコヒーレント」に対応する伝送パラメータエントリセットは、「完全にコヒーレント」に対応する伝送パラメータエントリセットのサブセットである。
【００１５】
第１の態様に関連して、第１の態様の第３の可能な実装において、方法は、
コヒーレンス能力インジケーション情報を生成する段階であって、コヒーレンス能力インジケーション情報は、現在のコヒーレンス能力を示すために用いられる、段階
をさらに含む。３つのコヒーレンス能力のうちの１つは、伝送パラメータインジケーション情報が生成される前に、ＲＲＣシグナリングを介して送信され得る。
【００１６】
第１の態様または第１の態様の第１の可能な実装から第３の可能な実装に関連して、第１の態様の第４の可能な実装において、伝送パラメータインジケーション情報は以下のとおりである。
【表８】
2021506177.tif 000010
【表９】
2021506177.tif 000011
【００１７】
第１の態様または第１の態様の第１の可能な実装から第４の可能な実装に関連して、第１の態様の第５の可能な実装において、伝送パラメータインジケーション情報は以下のとおりである。
【表１０】
2021506177.tif 000012
【表１１】
2021506177.tif 000013
【００１８】
第２の態様によれば、
伝送パラメータインジケーション情報を受信する段階であって、伝送パラメータインジケーション情報は、現在のコヒーレンス能力に対応する伝送パラメータエントリセットから選択される伝送パラメータエントリを示すために用いられ、伝送パラメータエントリは、伝送層の数とプリコーディング行列とを示すために用いられる、段階と、
伝送パラメータインジケーション情報に従って、伝送層の数とプリコーディング行列とを決定する段階と
を含む伝送パラメータインジケーション方法が提供される。
【００１９】
第２の態様に関連して、第２の態様の第１の可能な実装において、伝送パラメータエントリは、伝送パラメータエントリのインデックスと、伝送層の数の値と、プリコーディング行列のインデックスとを含み、プリコーディング行列は、伝送層の数の値とプリコーディング行列のインデックスとの両方を用いることにより一意に決定される。
【００２０】
第２の態様に関連して、第２の態様の第２の可能な実装において、現在のコヒーレンス能力は、
「完全にコヒーレント」という能力、
「部分的なコヒーレント」という能力、および、
「非コヒーレント」という能力
のうちの１つである。
【００２１】
第２の態様の第２の可能な実装に関連して、各コヒーレンス能力に対応する伝送パラメータエントリセットが、少なくとも１つの伝送パラメータエントリを含み、「非コヒーレント」に対応する伝送パラメータエントリセットが、「部分的なコヒーレント」に対応する伝送パラメータエントリセットのサブセットであり、「部分的なコヒーレント」に対応する伝送パラメータエントリセットは、「完全にコヒーレント」に対応する伝送パラメータエントリセットのサブセットである。
【００２２】
第２の態様に関連して、第２の態様の第３の可能な実装において、方法は、
コヒーレンス能力インジケーション情報を生成する段階であって、コヒーレンス能力インジケーション情報は、現在のコヒーレンス能力を示すために用いられる、段階
をさらに含む。
【００２３】
第２の態様または第２の態様の第１の可能な実装から第３の可能な実装に関連して、第２の態様の第４の可能な実装において、伝送パラメータインジケーション情報は以下のとおりである。
【表１２】
2021506177.tif 000014
【表１３】
2021506177.tif 000015
【００２４】
第２の態様または第２の態様の第１の可能な実装から第４の可能な実装に関連して、第２の態様の第５の可能な実装において、伝送パラメータインジケーション情報は以下のとおりである。
【表１４】
2021506177.tif 000016
【表１５】
2021506177.tif 000017
【００２５】
第３の態様によれば、
伝送パラメータインジケーション情報を生成するように構成された処理モジュールであって、伝送パラメータインジケーション情報は、現在のコヒーレンス能力に対応する伝送パラメータエントリセットから選択される伝送パラメータエントリを示すために用いられ、伝送パラメータエントリは、伝送層の数とプリコーディング行列とを示すために用いられる、処理モジュールと、
伝送パラメータインジケーション情報を送信するように構成されたトランシーバモジュールと
を含むアクセスデバイスが提供される。
【００２６】
第３の態様に関連して、第３の態様の第１の可能な実装において、伝送パラメータエントリは、伝送パラメータエントリのインデックスと、伝送層の数の値と、プリコーディング行列のインデックスとを含み、プリコーディング行列は、伝送層の数の値とプリコーディング行列のインデックスとの両方を用いることにより一意に決定される。
【００２７】
第３の態様に関連して、第３の態様の第２の可能な実装において、現在のコヒーレンス能力は、
「完全にコヒーレント」という能力、
「部分的なコヒーレント」という能力、および、
「非コヒーレント」という能力
のうちの１つである。
【００２８】
第３の態様の第２の可能な実装に関連して、各コヒーレンス能力に対応する伝送パラメータエントリセットが、少なくとも１つの伝送パラメータエントリを含み、「非コヒーレント」に対応する伝送パラメータエントリセットが、「部分的なコヒーレント」に対応する伝送パラメータエントリセットのサブセットであり、「部分的なコヒーレント」に対応する伝送パラメータエントリセットは、「完全にコヒーレント」に対応する伝送パラメータエントリセットのサブセットである。
【００２９】
第３の態様に関連して、第３の態様の第３の可能な実装において、方法は、
コヒーレンス能力インジケーション情報を生成する段階であって、コヒーレンス能力インジケーション情報は、現在のコヒーレンス能力を示すために用いられる、段階
をさらに含む。
【００３０】
第３の態様または第３の態様の第１の可能な実装から第３の可能な実装に関連して、第３の態様の第４の可能な実装において、伝送パラメータインジケーション情報は以下のとおりである。
【表１６】
2021506177.tif 000018
【表１７】
2021506177.tif 000019
【００３１】
第３の態様または第３の態様の第１の可能な実装から第４の可能な実装に関連して、第３の態様の第５の可能な実装において、伝送パラメータインジケーション情報は以下のとおりである。
【表１８】
2021506177.tif 000020
【表１９】
2021506177.tif 000021
【００３２】
第４の態様によれば、
伝送パラメータインジケーション情報を受信するように構成されたトランシーバモジュールであって、伝送パラメータインジケーション情報は、現在のコヒーレンス能力に対応する伝送パラメータエントリセットから選択される伝送パラメータエントリを示すために用いられ、伝送パラメータエントリは、伝送層の数とプリコーディング行列とを示すために用いられる、トランシーバモジュールと、
伝送パラメータインジケーション情報に従って、伝送層の数とプリコーディング行列とを決定するように構成された処理モジュールと
を含むユーザ機器が提供される。
【００３３】
第４の態様に関連して、第４の態様の第１の可能な実装において、伝送パラメータエントリは、伝送パラメータエントリのインデックスと、伝送層の数の値と、プリコーディング行列のインデックスとを含み、プリコーディング行列は、伝送層の数の値とプリコーディング行列のインデックスとの両方を用いることにより一意に決定される。
【００３４】
第４の態様に関連して、第４の態様の第２の可能な実装において、現在のコヒーレンス能力は、
「完全にコヒーレント」という能力、
「部分的なコヒーレント」という能力、および、
「非コヒーレント」という能力
のうちの１つである。
【００３５】
第４の態様の第２の可能な実装に関連して、各コヒーレンス能力に対応する伝送パラメータエントリセットが、少なくとも１つの伝送パラメータエントリを含み、「非コヒーレント」に対応する伝送パラメータエントリセットが、「部分的なコヒーレント」に対応する伝送パラメータエントリセットのサブセットであり、「部分的なコヒーレント」に対応する伝送パラメータエントリセットは、「完全にコヒーレント」に対応する伝送パラメータエントリセットのサブセットである。
【００３６】
第４の態様に関連して、第４の態様の第３の可能な実装において、方法は、
コヒーレンス能力インジケーション情報を生成する段階であって、コヒーレンス能力インジケーション情報は、現在のコヒーレンス能力を示すために用いられる、段階
をさらに含む。
【００３７】
第４の態様または第４の態様の第１の可能な実装から第３の可能な実装に関連して、第４の態様の第４の可能な実装において、伝送パラメータインジケーション情報は以下のとおりである。
【表２０】
2021506177.tif 000022
【表２１】
2021506177.tif 000023
【００３８】
第４の態様または第４の態様の第１の可能な実装から第４の可能な実装に関連して、第４の態様の第５の可能な実装において、伝送パラメータインジケーション情報は以下のとおりである。
【表２２】
2021506177.tif 000024
【表２３】
2021506177.tif 000025
【図面の簡単な説明】
【００３９】
【図１】本発明の実施形態による無線通信ネットワークの例示的な概略図である。
【００４０】
【図２】本発明の実施形態によるチャネル測定方法の例示的なフローチャートである。
【００４１】
【図３】本発明の実施形態によるチャネル測定方法の例示的なフローチャートである。
【００４２】
【図４】本発明の実施形態による通信デバイスの論理構造の例示的な概略図である。
【００４３】
【図５】本発明の実施形態による通信デバイスのハードウェア構造の例示的な概略図である。
【発明を実施するための形態】
【００４４】
現在研究開発段階にある次世代無線通信システムは、新無線（Ｎｅｗ  Ｒａｄｉｏ，ＮＲ）システムまたは５Ｇシステムとも称され得る。次世代無線通信規格が半静的チャネル測定をサポートすること、および、半静的チャネル測定を介して取得されるＣＳＩが、物理アップリンク共有チャネル（Ｐｈｙｓｉｃａｌ  Ｕｐｌｉｎｋ  Ｓｈａｒｅｄ  Ｃｈａｎｎｅｌ，ＰＵＳＣＨ）を用いることにより伝送され得ることが、最新の研究により示されている。半静的チャネル測定のサポートにおいて、最初に解決されるべき課題のうちの１つは、半静的チャネル測定の開始および停止をユーザ機器へどのように通知するかということである。本発明の実施形態は、前述の課題の解決に役立つ技術的解決手段を提供する。以下では、添付図面および特定の実施形態を参照して、本発明の実施形態において提供される技術的解決手段を説明する。
【００４５】
本発明の実施形態は、通信デバイスを提供する。通信デバイスは、アクセスデバイスを実装するように構成され得るか、またはユーザ機器を実装するように構成され得る。通信デバイスは、プロセッサおよびトランシーバを含む。プロセッサは、処理モジュールのオペレーションを実行するように構成され、トランシーバは、トランシーバモジュールにより実行されるオペレーションを実行するように構成される。
【００４６】
特定の実装プロセスにおいて、プロセッサは、例としてであり限定されるものではないが、ベースバンド関連処理を実行するように構成されてよく、トランシーバは、例としてであり限定されるものではないが、無線周波数の伝送／受信を実行するように構成されてよい。前述のコンポーネントが、相互に独立したチップ上に別々に配置されてもよく、前述のコンポーネントのいくつかまたは全てが、１つのチップ上に配置されてもよい。例えば、プロセッサはさらに、アナログベースバンドプロセッサおよびデジタルベースバンドプロセッサに分類され得る。アナログベースバンドプロセッサは、同じチップ上でトランシーバと統合されてよく、デジタルベースバンドプロセッサは、独立したチップ上に配置されてよい。集積回路技術の開発が続けられることで、より多くのコンポーネントを１つのチップ上で統合できるようになる。例えば、デジタルベースバンドプロセッサは、１つのチップ上で複数のアプリケーションプロセッサ（例としてであり限定されるものではないが、グラフィック処理ユニットまたはマルチメディアプロセッサ）と統合され得る。そのようなチップは、システムオンチップ（Ｓｙｓｔｅｍ  ｏｎ  Ｃｈｉｐ）と称され得る。コンポーネントが異なるチップ上に別個に配置されるか、または、１または複数のチップ上に一体的に配置されるかは、製品設計の特定の要件によって決まる。前述のコンポーネントの特定の実装形態は、本発明の実施形態において限定されない。
【００４７】
本発明の実施形態はさらに、前述の方法を実行するように構成されたプロセッサを提供する。これらの方法が実行されている場合、前述の方法における、情報を送信および受信する処理は、プロセッサが当該情報を出力して入力情報を受信する処理として理解され得る。具体的には、プロセッサは、情報を出力する場合、情報をトランシーバへ出力する。これにより、トランシーバは、情報を伝送する。さらに、情報は、プロセッサにより出力された後、トランシーバへ到達する前に、別の方式で処理され得る。同様に、プロセッサが入力情報を受信する場合、トランシーバは、情報を受信してプロセッサに入力する。さらに、トランシーバが情報を受信した後、情報は、プロセッサに入力される前に、別の方式で処理され得る。
【００４８】
前述の原理によれば、例えば、前述の方法において言及される、伝送パラメータインジケーション情報を受信する段階は、入力された伝送パラメータインジケーション情報をプロセッサが受信する段階として理解され得る。別の例では、伝送パラメータインジケーション情報を送信する段階は、プロセッサが伝送パラメータインジケーション情報を出力する段階として理解され得る。
【００４９】
このようにして、プロセッサを必要とする伝送、送信および受信などのオペレーションについては、特別な説明がない場合、または、関連する説明において当該オペレーションが当該オペレーションの実際の機能または内部ロジックと矛盾しない場合、当該オペレーションは、無線周波数回路およびアンテナにより直接実行される伝送オペレーション、送信オペレーションおよび受信オペレーションの代わりのプロセッサにより実行される出力オペレーションおよび入力受信オペレーションとしてより一般的に理解され得る。
【００５０】
特定の実装プロセスにおいて、プロセッサは、これらの方法を実行する専用プロセッサであってもよく、メモリ内のコンピュータ命令を実行することによりこれらの方法を実行するプロセッサ、例えば、汎用プロセッサであってもよい。メモリは、非一時的（ｎｏｎ−ｔｒａｎｓｉｔｏｒｙ）メモリ、例えば、リードオンリメモリ（Ｒｅａｄ  Ｏｎｌｙ  Ｍｅｍｏｒｙ，ＲＯＭ）であってよい。メモリが１つのチップ上でプロセッサと統合されてもよく、メモリおよびプロセッサが異なるチップ上に別々に配置されてもよい。メモリのタイプと、メモリおよびプロセッサを配置する方式とは、本発明の実施形態において限定されない。
【００５１】
本発明の実施形態の第２０の態様によれば、命令を含むコンピュータ可読記憶媒体が提供される。命令がコンピュータ上で動作した場合、コンピュータが前述の方法を実行する。さらに、コンピュータ可読記憶媒体は、非一時的コンピュータ可読記憶媒体である。
【００５２】
本発明の実施形態の第２１の態様によれば、命令を含むコンピュータプログラム製品が提供される。命令がコンピュータ上で動作した場合、コンピュータが前述の方法を実行する。
【００５３】
図１は、本発明の実施形態による無線通信ネットワーク１００の例示的な概略図である。図１に示すように、無線通信ネットワーク１００は、基地局１０２から１０６と、端末デバイス１０８から１２２とを含む。基地局１０２から１０６は、バックホール（ｂａｃｋｈａｕｌ）リンク（基地局１０２から１０６の間の直線により示される）を用いることにより、互いに通信し得る。バックホールリンクは、有線バックホールリンク（例えば、光ファイバおよび銅線）であってもよく、無線バックホールリンク（例えば、マイクロ波）であってもよい。端末デバイス１０８から１２２は、無線リンク（基地局１０２から１０６と端末デバイス１０８から１２２との間の折れ線により示される）を用いることにより、対応する基地局１０２から１０６と通信し得る。
【００５４】
基地局１０２から１０６は通常、通常であればユーザ機器として機能する端末デバイス１０８から１２２のための無線アクセスサービスを提供するアクセスデバイスとして機能する。具体的には、各基地局は、サービスカバレッジエリア（セルとも称され、図１において楕円エリアにより示される）に対応しており、当該エリアに入った端末デバイスが、無線信号を用いることにより基地局と通信し、これにより、基地局により提供される無線アクセスサービスを取得し得る。基地局のサービスカバレッジエリアは、重複することがあり、重複エリア内の端末デバイスは、複数の基地局から無線信号を受信し得る。従って、基地局は、互いに連携して、端末デバイスのためのサービスを提供し得る。例えば、複数の基地局は、協調マルチポイント伝送／受信（Ｃｏｏｒｄｉｎａｔｅｄ  ｍｕｌｔｉｐｏｉｎｔ，ＣｏＭＰ）技術を用いることにより、重複エリア内の端末デバイスのためのサービスを提供し得る。例えば、図１に示すように、基地局１０２および基地局１０４のサービスカバレッジエリアが重複エリアを有し、端末デバイス１１２が当該重複エリアに位置する。従って、端末デバイス１１２は、基地局１０２および基地局１０４の各々から無線信号を受信し得る。基地局１０２および基地局１０４は、互いに連携して、端末デバイス１１２のためのサービスを提供し得る。別の例では、図１に示すように、基地局１０２、基地局１０４および基地局１０６のサービスカバレッジエリアが共通の重複エリアを有し、端末デバイス１２０が当該重複エリアに位置する。従って、端末デバイス１２０は、基地局１０２、１０４および１０６の各々から無線信号を受信し得る。基地局１０２、１０４および１０６は、互いに連携して、端末デバイス１２０のためのサービスを提供する。
【００５５】
基地局は、どの無線通信技術が用いられるかに応じて、ノードＢ（ＮｏｄｅＢ）、進化型ノードＢ（ｅｖｏｌｖｅｄ  ＮｏｄｅＢ，ｅＮｏｄｅＢ）、アクセスポイント（Ａｃｃｅｓｓ  Ｐｏｉｎｔ，ＡＰ）等とも称され得る。あるいは、提供されるサービスカバレッジエリアのサイズに基づいて、基地局は、マクロセル（Ｍａｃｒｏ  ｃｅｌｌ）を提供するように構成されたマクロ基地局、ピコセル（Ｐｉｃｏ  ｃｅｌｌ）を提供するように構成されたマイクロ基地局、およびフェムトセル（Ｆｅｍｔｏ  ｃｅｌｌ）を提供するように構成されたフェムト基地局に分類され得る。無線通信技術の進化が続くことで、将来の基地局は、別の名前を用い得る。
【００５６】
端末デバイス１０８から１２２は、例としてであり限定されるものではないが、携帯電話、コードレス電話、パーソナルデジタルアシスタント（Ｐｅｒｓｏｎａｌ  Ｄｉｇｉｔａｌ  Ａｓｓｉｓｔａｎｔ，ＰＤＡ）、スマートフォン、ノートブックコンピュータ、タブレットコンピュータ、無線データカード、無線モデム（Ｍｏｄｕｌａｔｏｒ  ｄｅｍｏｄｕｌａｔｏｒ，Ｍｏｄｅｍ）、またはスマートウォッチなどのウェアラブルデバイスといった、無線通信機能を有する様々な無線通信デバイスであってよい。モノのインターネット（Ｉｎｔｅｒｎｅｔ  ｏｆ  ｔｈｉｎｇｓ，ＩｏＴ）技術およびビークルツーエブリシング（Ｖｅｈｉｃｌｅ−ｔｏ−ｅｖｅｒｙｔｈｉｎｇ，Ｖ２Ｘ）技術が出現したことで、例としてであり限定されるものではないが、家庭用電気器具、輸送車両、ツールデバイス、サービスデバイスおよびサービス設備といった、かつての通信機能がなかったより多くのデバイスが、無線通信機能を取得することにより無線通信ネットワークにアクセスして遠隔制御されるよう無線通信ユニットを構成し始めている。無線通信ユニットと共に構成されたそのようなデバイスは、無線通信機能を有するので、無線通信デバイスに属する。加えて、端末デバイス１０８から１２２は、移動局、モバイルデバイス、モバイル端末、無線端末、ハンドヘルドデバイス、クライアント等とも称され得る。
【００５７】
基地局１０２から１０６と端末デバイス１０８から１２２との各々は、複数のアンテナと共に構成されることにより、ＭＩＭＯ（ｍｕｌｔｉｐｌｅ−ｉｎｐｕｔ  ｍｕｌｔｉｐｌｅ−ｏｕｔｐｕｔ，  Ｍｕｌｔｉｐｌｅ  Ｉｎｐｕｔ  Ｍｕｌｔｉｐｌｅ  Ｏｕｔｐｕｔ）技術をサポートできる。さらに、基地局１０２から１０６と端末デバイス１０８から１２２とは、シングルユーザＭＩＭＯ（Ｓｉｎｇｌｅ−Ｕｓｅｒ  ＭＩＭＯ，ＳＵ−ＭＩＭＯ）技術をサポートし得るか、またはマルチユーザＭＩＭＯ（Ｍｕｌｔｉ−Ｕｓｅｒ  ＭＩＭＯ，ＭＵ−ＭＩＭＯ）をサポートし得る。ＭＵ−ＭＩＭＯは、空間分割多元接続（Ｓｐａｃｅ  Ｄｉｖｉｓｉｏｎ  Ｍｕｌｔｉｐｌｅ  Ａｃｃｅｓｓ，ＳＤＭＡ）技術に基づいて実装され得る。複数のアンテナが構成されるので、基地局１０２から１０６と端末デバイス１０８から１２２とはまた、単入力単出力（Ｓｉｎｇｌｅ  Ｉｎｐｕｔ  Ｓｉｎｇｌｅ  Ｏｕｔｐｕｔ，ＳＩＳＯ）技術、単入力多出力（Ｓｉｎｇｌｅ  Ｉｎｐｕｔ  Ｍｕｌｔｉｐｌｅ  Ｏｕｔｐｕｔ，ＳＩＭＯ）技術および多入力単出力（Ｍｕｌｔｉｐｌｅ  Ｉｎｐｕｔ  Ｓｉｎｇｌｅ  Ｏｕｔｐｕｔ，ＭＩＳＯ）技術を柔軟にサポートすることにより、様々なダイバーシティ技術（例としてであり限定されるものではないが、伝送ダイバーシティおよび受信ダイバーシティ）ならびに多重化技術を実装し得る。ダイバーシティ技術は、限定されるものではないが、伝送ダイバーシティ（Ｔｒａｎｓｍｉｔ  Ｄｉｖｅｒｓｉｔｙ，ＴＤ）技術および受信ダイバーシティ（Ｒｅｃｅｉｖｅ  Ｄｉｖｅｒｓｉｔｙ，ＲＤ）技術を含み得る。多重化技術は、空間多重化（Ｓｐａｔｉａｌ  Ｍｕｌｔｉｐｌｅｘｉｎｇ）技術であってよい。前述の技術は、複数の実装上の解決手段をさらに含み得る。例えば、伝送ダイバーシティ技術は、例としてであり限定されるものではないが、時空伝送ダイバーシティ（Ｓｐａｃｅ−Ｔｉｍｅ  Ｔｒａｎｓｍｉｔ  Ｄｉｖｅｒｓｉｔｙ，ＳＴＴＤ）、空間周波数伝送ダイバーシティ（Ｓｐａｃｅ−Ｆｒｅｑｕｅｎｃｙ  Ｔｒａｎｓｍｉｔ  Ｄｉｖｅｒｓｉｔｙ，ＳＦＴＤ）、時間切り替え伝送ダイバーシティ（Ｔｉｍｅ  Ｓｗｉｔｃｈｅｄ  Ｔｒａｎｓｍｉｔ  Ｄｉｖｅｒｓｉｔｙ，ＴＳＴＤ）、周波数切り替え伝送ダイバーシティ（Ｆｒｅｑｕｅｎｃｙ  Ｓｗｉｔｃｈ  Ｔｒａｎｓｍｉｔ  Ｄｉｖｅｒｓｉｔｙ，ＦＳＴＤ）、直交伝送ダイバーシティ（Ｏｒｔｈｏｇｏｎａｌ  Ｔｒａｎｓｍｉｔ  Ｄｉｖｅｒｓｉｔｙ，ＯＴＤ）、巡回遅延ダイバーシティ（Ｃｙｃｌｉｃ  Ｄｅｌａｙ  Ｄｉｖｅｒｓｉｔｙ，ＣＤＤ）および別のダイバーシティ方式を含んでよく、前述のダイバーシティ方式から派生したか、前述のダイバーシティ方式から進化したか、または前述のダイバーシティ方式のいずれかを組み合わせたダイバーシティ方式をさらに含んでよい。例えば、現在、ＬＴＥ（Ｌｏｎｇ  Ｔｅｒｍ  Ｅｖｏｌｕｔｉｏｎ，  Ｌｏｎｇ  Ｔｅｒｍ  Ｅｖｏｌｕｔｉｏｎ）規格が、時空ブロックコーディング（Ｓｐａｃｅ  Ｔｉｍｅ  Ｂｌｏｃｋ  Ｃｏｄｉｎｇ，ＳＴＢＣ）、空間周波数ブロックコーディング（Ｓｐａｃｅ  Ｆｒｅｑｕｅｎｃｙ  Ｂｌｏｃｋ  Ｃｏｄｉｎｇ，ＳＦＢＣ）およびＣＤＤなどの伝送ダイバーシティ方��を用いている。以上では、例を用いることにより、伝送ダイバーシティを一般的に説明している。当業者であれば、伝送ダイバーシティは前述の例以外の実装をさらに含むことを理解するはずである。従って、前述の説明は、本発明の技術的解決手段に対する限定として解釈されるべきではない。本発明の技術的解決手段は、様々な可能な伝送ダイバーシティ解決手段に適用可能なものとして理解されるべきである。
【００５８】
加えて、基地局１０２から１０６と端末デバイス１０８から１２２とは、例としてであり限定されるものではないが、時分割多元接続（Ｔｉｍｅ  Ｄｉｖｉｓｉｏｎ  Ｍｕｌｔｉｐｌｅ  Ａｃｃｅｓｓ，ＴＤＭＡ）技術、周波数分割多元接続（Ｆｒｅｑｕｅｎｃｙ  Ｄｉｖｉｓｉｏｎ  Ｍｕｌｔｉｐｌｅ  Ａｃｃｅｓｓ，ＦＤＭＡ）技術、符号分割多元接続（Ｃｏｄｅ  Ｄｉｖｉｓｉｏｎ  Ｍｕｌｔｉｐｌｅ  Ａｃｃｅｓｓ，ＣＤＭＡ）技術、時分割同期符号分割多元接続（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ，ＴＤ−ＳＣＤＭＡ）、直交周波数分割多元接続（Ｏｒｔｈｏｇｏｎａｌ  ＦＤＭＡ，ＯＦＤＭＡ）技術、シングルキャリア周波数分割多元接続（Ｓｉｎｇｌｅ  Ｃａｒｒｉｅｒ  ＦＤＭＡ，ＳＣ−ＦＤＭＡ）技術、空間分割多元接続（Ｓｐａｃｅ  Ｄｉｖｉｓｉｏｎ  Ｍｕｌｔｉｐｌｅ  Ａｃｃｅｓｓ，ＳＤＭＡ）技術およびこれらの技術から進化または派生した技術といった様々な無線通信技術を用いることにより、互いに通信し得る。前述の無線通信技術は、多くの無線通信規格において無線アクセス技術（Ｒａｄｉｏ  Ａｃｃｅｓｓ  Ｔｅｃｈｎｏｌｏｇｙ，ＲＡＴ）として用いられる。これにより、限定されるものではないが、グローバルシステムフォーモバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎｓ，ＧＳＭ（登録商標））、ＣＤＭＡ２０００、広帯域ＣＤＭＡ（Ｗｉｄｅｂａｎｄ  ＣＤＭＡ，ＷＣＤＭＡ（登録商標））、一連の８０２．２２規格において定義されるＷｉＦｉ（登録商標）、ワールドワイドインターオペラビリティフォーマイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ，ＷｉＭａｘ（登録商標））、ロングタームエボリューション（Ｌｏｎｇ  Ｔｅｒｍ  Ｅｖｏｌｕｔｉｏｎ，ＬＴＥ）、ＬＴＥアドバンスト（ＬＴＥ−Ａｄｖａｎｃｅｄ，ＬＴＥ−Ａ）、これらの無線通信システムから進化したシステム等を含む様々な周知の無線通信システム（またはネットワーク）が構築される。別段の記載がない限り、本発明の実施形態において提供される技術的解決手段は、前述の無線通信技術および無線通信システムに適用され得る。加えて、「システム」および「ネットワーク」という用語を入れ替えることができる。
【００５９】
図１に示す無線通信ネットワーク１００は、例として用いられているに過ぎず、本発明の技術的解決手段を限定することは意図されていないことに留意されたい。当業者であれば、特定の実装プロセスにおいて、無線通信ネットワーク１００は、別のデバイスをさらに含んでよく、特定の要件に基づいて基地局および端末デバイスの数を設定してよいことを理解するはずである。
【００６０】
図２は、本発明の実施形態によるチャネル測定方法３００の例示的なフローチャートである。特定の実装プロセスにおいて、方法３００は、ユーザ機器により実行され得る。
【００６１】
段階３０２：現在のコヒーレンス能力に対応する伝送パラメータエントリセットから選択されて伝送層の数とプリコーディング行列とを示すために用いられる伝送パラメータエントリを示すために用いられる伝送パラメータインジケーション情報を受信する。
【００６２】
段階３０４：伝送パラメータインジケーション情報を送信する。
【００６３】
本発明の実施形態１において、ＴＲＩおよびＴＰＭＩを一緒にコーディングすることにより取得されるフィールド内の状態が、データ伝送のために用いられるＴＲＩおよびＴＰＭＩを示すために用いられる。各ＴＲＩ値がプリコーディング行列の１つのグループに対応しており、この対応関係は、表１から表４に示される。伝送層の数が示される場合、伝送層の数に対応するプリコーディング行列のグループから選択される１つのプリコーディング行列を示すために、ＴＰＭＩが用いられる。表８は、ＴＲＩおよびＴＰＭＩを一緒にコーディングする例である。示されている伝送層の数、すなわち、ＴＲＩは、この表において層ｘを用いることにより示されている。ｘの値の範囲は、｛１，２，３，４｝である。示されているプリコーディング行列は、この表においてＴＰＭＩ＝ｙを用いることにより示されている。ｙは、１に等しいかまたはそれよりも大きい正の整数であり、ｙの値の範囲は、表１から表４における伝送層の数の各々に対応する３つのＵＥ能力に対応するプリコーディング行列の数に基づいて決定される。本実施形態において、各ＵＥ能力について、ＴＲＩおよびＴＰＭＩを一緒にコーディングすることにより取得されるフィールドのインデックスが、ランクの昇順でソートされる。表８に示すように、「完全にコヒーレント」な伝送容量の事例では、当該フィールドのインデックス０から２７が、層１での伝送を示し、各インデックスは、層１での伝送に対応しており、かつ、「完全にコヒーレント」に対応するコードワードと、「部分的にコヒーレント」に対応するコードワードと、「非コヒーレント」に対応するコードワードとを含む１つのプリコーディング行列インデックスに対応している。当該フィールドのインデックス２８から４９が、層２での伝送を示し、各インデックスは、層２での伝送に対応しており、かつ、「完全にコヒーレント」に対応するコードワードと、「部分的にコヒーレント」に対応するコードワードと、「非コヒーレント」に対応するコードワードとを含む１つのプリコーディング行列インデックスに対応している。当該フィールドのインデックス５０から５６が、層３での伝送を示し、各インデックスは、層３での伝送に対応しており、かつ、「完全にコヒーレント」に対応するコードワードと、「部分的にコヒーレント」に対応するコードワードと、「非コヒーレント」に対応するコードワードとを含む１つのプリコーディング行列インデックスに対応している。当該フィールドのインデックス５７から６１が、層４での伝送を示し、各インデックスは、層４での伝送に対応しており、かつ、「完全にコヒーレント」に対応するコードワードと、「部分的にコヒーレント」に対応するコードワードと、「非コヒーレント」に対応するコードワードとを含む１つのプリコーディング行列インデックスに対応している。
［表８  ＴＲＩおよびＴＰＭＩを一緒にコーディングする例］
【表２４】
2021506177.tif 000026
【表２５】
2021506177.tif 000027
【００６４】
ユーザ機器が４つのアンテナによる伝送を有し、伝送層の最大数が４であり、かつ、ＣＰ−ＯＦＤＭ波形がデータ送信のために用いられる事例に、表８におけるシグナリングインジケーションが対応している。ユーザ機器が２つのアンテナによる伝送を有する場合、ＣＰ−ＯＦＤＭ波形がデータ送信のために用いられ、伝送層の最大数が２であり、表９に示されるものと同じ原理に従ってシグナリングインジケーションが設計される。
［表９  ＴＲＩおよびＴＰＭＩを一緒にコーディングする例］
【表２６】
2021506177.tif 000028
【００６５】
ユーザ機器が２つのアンテナによる伝送を有する場合、ＣＰ−ＯＦＤＭ波形がデータ送信のために用いられ、伝送層の最大数が１であり、表１０に示されるものと同じ原理に従ってシグナリングインジケーションが設計される。
［表１０  ＴＲＩおよびＴＰＭＩを一緒にコーディングする例］
【表２７】
2021506177.tif 000029
【００６６】
ＤＦＴ−Ｓ−ＯＦＤＭが用いられ、ユーザ機器が２つのアンテナによる伝送を有する場合、ＴＰＭＩが表１０に基づいて示される。
【００６７】
ユーザ機器が４つのアンテナによる伝送を有し、伝送層の最大数が３または２であり、かつ、ＣＰ−ＯＦＤＭ波形がデータ送信のために用いられる事例に、表８におけるシグナリングインジケーションはさらに対応し得る。ユーザ機器が４つのアンテナによる伝送を有する場合、ＣＰ−ＯＦＤＭ波形がデータ送信のために用いられ、伝送層の最大数が１であり、表１１に示されるものと同じ原理に従ってシグナリングインジケーションが設計される。
［表１１  ＴＲＩおよびＴＰＭＩを一緒にコーディングする例］
【表２８】
2021506177.tif 000030
【００６８】
本発明の実施形態２において、ＴＲＩおよびＴＰＭＩを一緒にコーディングすることにより取得されるフィールド内の状態が、データ伝送のために用いられるＴＲＩおよびＴＰＭＩを示すために用いられる。各ＴＲＩ値がプリコーディング行列の１つのグループに対応しており、この対応関係は、表１から表４に示される。伝送層の数が示される場合、伝送層の数に対応するプリコーディング行列のグループから選択される１つのプリコーディング行列を示すために、ＴＰＭＩが用いられる。表１２は、ＴＲＩおよびＴＰＭＩを一緒にコーディングする例である。示されている伝送層の数、すなわち、ＴＲＩは、この表において層ｘを用いることにより示されている。ｘの値の範囲は、｛１，２，３，４｝である。示されているプリコーディング行列は、この表においてＴＰＭＩ＝ｙを用いることにより示されている。ｙは、１に等しいかまたはそれよりも大きい正の整数であり、ｙの値の範囲は、表１から表４における伝送層の数の各々に対応する３つのＵＥ能力に対応するプリコーディング行列の数に基づいて決定される。本実施形態において、部分的にコヒーレントな伝送では、当該フィールドのインデックスが０から始まり、非コヒーレントな伝送に対応するプリコーディング行列が好ましくはソートされ、ソート順序が、非コヒーレントな伝送に対応するプリコーディング行列インデックスのものと同じである。非コヒーレントな伝送に対応する全てのプリコーディング行列インデックスがソートされた後に、部分的にコヒーレントな伝送に対応するプリコーディング行列インデックスがソートされる。完全にコヒーレントな伝送では、当該フィールドのインデックスが０から始まり、非コヒーレントな伝送に対応するプリコーディング行列が好ましくはソートされ、ソート順序が、非コヒーレントな伝送に対応するプリコーディング行列インデックスのものと同じである。非コヒーレントな伝送に対応する全てのプリコーディング行列インデックスがソートされた後に、部分的にコヒーレントな伝送に対応するプリコーディング行列インデックスがソートされる。非コヒーレントな伝送に対応する全てのプリコーディング行列インデックスがソートされた後に、完全にコヒーレントな伝送に対応するプリコーディング行列インデックスがソートされる。
［表１２  ＴＲＩおよびＴＰＭＩを一緒にコーディングする例］
【表２９】
2021506177.tif 000031
【表３０】
2021506177.tif 000032
【００６９】
ユーザ機器が４つのアンテナによる伝送を有し、伝送層の最大数が４であり、かつ、ＣＰ−ＯＦＤＭ波形がデータ送信のために用いられる事例に、表１２におけるシグナリングインジケーションが対応している。ユーザ機器が２つのアンテナによる伝送を有する場合、ＣＰ−ＯＦＤＭ波形がデータ送信のために用いられ、伝送層の最大数が２であり、表１３に示されるものと同じ原理に従ってシグナリングインジケーションが設計される。
［表１３  ＴＲＩおよびＴＰＭＩを一緒にコーディングする例］
【表３１】
2021506177.tif 000033
【００７０】
ユーザ機器が２つのアンテナによる伝送を有する場合、ＣＰ−ＯＦＤＭ波形がデータ送信のために用いられ、伝送層の最大数が１であり、表１４に示されるものと同じ原理に従ってシグナリングインジケーションが設計される。
［表１４  ＴＲＩおよびＴＰＭＩを一緒にコーディングする例］
【表３２】
2021506177.tif 000034
【００７１】
ＤＦＴ−Ｓ−ＯＦＤＭが用いられ、ユーザ機器が２つのアンテナによる伝送を有する場合、ＴＰＭＩが表１４に基づいて示される。
【００７２】
ユーザ機器が４つのアンテナによる伝送を有し、伝送層の最大数が３または２であり、かつ、ＣＰ−ＯＦＤＭ波形がデータ送信のために用いられる事例に、表１２におけるシグナリングインジケーションはさらに対応し得る。ユーザ機器が４つのアンテナによる伝送を有する場合、ＣＰ−ＯＦＤＭ波形がデータ送信のために用いられ、伝送層の最大数が１であり、表１５に示されるものと同じ原理に従ってシグナリングインジケーションが設計される。
［表１５  ＴＲＩおよびＴＰＭＩを一緒にコーディングする例］
【表３３】
2021506177.tif 000035
【００７３】
以上では、方法２００を参照して、方法３００の技術的詳細を詳細に説明している。従って、ここでは詳細を再度説明しない。
【００７４】
図３は、本発明の実施形態によるチャネル測定方法４００の例示的なフローチャートである。特定の実装プロセスにおいて、方法４００は、ユーザ機器により実行され得る。
【００７５】
段階４０２：伝送パラメータインジケーション情報を受信する。
【００７６】
段階４０４：伝送パラメータインジケーション情報に従って、伝送層の数とプリコーディング行列とを決定する。
【００７７】
本発明の実施形態１において、ＴＲＩおよびＴＰＭＩを一緒にコーディングすることにより取得されるフィールド内の状態が、データ伝送のために用いられるＴＲＩおよびＴＰＭＩを示すために用いられる。各ＴＲＩ値がプリコーディング行列の１つのグループに対応しており、この対応関係は、表１から表４に示される。伝送層の数が示される場合、伝送層の数に対応するプリコーディング行列のグループから選択される１つのプリコーディング行列を示すために、ＴＰＭＩが用いられる。表８は、ＴＲＩおよびＴＰＭＩを一緒にコーディングする例である。示されている伝送層の数、すなわち、ＴＲＩは、この表において層ｘを用いることにより示されている。ｘの値の範囲は、｛１，２，３，４｝である。示されているプリコーディング行列は、この表においてＴＰＭＩ＝ｙを用いることにより示されている。ｙは、１に等しいかまたはそれよりも大きい正の整数であり、ｙの値の範囲は、表１から表４における伝送層の数の各々に対応する３つのＵＥ能力に対応するプリコーディング行列の数に基づいて決定される。本実施形態において、各ＵＥ能力について、ＴＲＩおよびＴＰＭＩを一緒にコーディングすることにより取得されるフィールドのインデックスが、ランクの昇順でソートされる。表８に示すように、「完全にコヒーレント」な伝送容量の事例では、当該フィールドのインデックス０から２７が、層１での伝送を示し、各インデックスは、層１での伝送に対応しており、かつ、「完全にコヒーレント」に対応するコードワードと、「部分的にコヒーレント」に対応するコードワードと、「非コヒーレント」に対応するコードワードとを含む１つのプリコーディング行列インデックスに対応している。当該フィールドのインデックス２８から４９が、層２での伝送を示し、各インデックスは、層２での伝送に対応しており、かつ、「完全にコヒーレント」に対応するコードワードと、「部分的にコヒーレント」に対応するコードワードと、「非コヒーレント」に対応するコードワードとを含む１つのプリコーディング行列インデックスに対応している。当該フィールドのインデックス５０から５６が、層３での伝送を示し、各インデックスは、層３での伝送に対応しており、かつ、「完全にコヒーレント」に対応するコードワードと、「部分的にコヒーレント」に対応するコードワードと、「非コヒーレント」に対応するコードワードとを含む１つのプリコーディング行列インデックスに対応している。当該フィールドのインデックス５７から６１が、層４での伝送を示し、各インデックスは、層４での伝送に対応しており、かつ、「完全にコヒーレント」に対応するコードワードと、「部分的にコヒーレント」に対応するコードワードと、「非コヒーレント」に対応するコードワードとを含む１つのプリコーディング行列インデックスに対応している。
［表８  ＴＲＩおよびＴＰＭＩを一緒にコーディングする例］
【表３４】
2021506177.tif 000036
【表３５】
2021506177.tif 000037
【００７８】
ユーザ機器が４つのアンテナによる伝送を有し、伝送層の最大数が４であり、かつ、ＣＰ−ＯＦＤＭ波形がデータ送信のために用いられる事例に、表８におけるシグナリングインジケーションが対応している。ユーザ機器が２つのアンテナによる伝送を有する場合、ＣＰ−ＯＦＤＭ波形がデータ送信のために用いられ、伝送層の最大数が２であり、表９に示されるものと同じ原理に従ってシグナリングインジケーションが設計される。
［表９  ＴＲＩおよびＴＰＭＩを一緒にコーディングする例］
【表３６】
2021506177.tif 000038
【００７９】
ユーザ機器が２つのアンテナによる伝送を有する場合、ＣＰ−ＯＦＤＭ波形がデータ送信のために用いられ、伝送層の最大数が１であり、表１０に示されるものと同じ原理に従ってシグナリングインジケーションが設計される。
［表１０  ＴＲＩおよびＴＰＭＩを一緒にコーディングする例］
【表３７】
2021506177.tif 000039
【００８０】
ＤＦＴ−Ｓ−ＯＦＤＭが用いられ、ユーザ機器が２つのアンテナによる伝送を有する場合、ＴＰＭＩが表１０に基づいて示される。
【００８１】
ユーザ機器が４つのアンテナによる伝送を有し、伝送層の最大数が３または２であり、かつ、ＣＰ−ＯＦＤＭ波形がデータ送信のために用いられる事例に、表８におけるシグナリングインジケーションはさらに対応し得る。ユーザ機器が４つのアンテナによる伝送を有する場合、ＣＰ−ＯＦＤＭ波形がデータ送信のために用いられ、伝送層の最大数が１であり、表１１に示されるものと同じ原理に従ってシグナリングインジケーションが設計される。
［表１１  ＴＲＩおよびＴＰＭＩを一緒にコーディングする例］
【表３８】
2021506177.tif 000040
【００８２】
本発明の実施形態２において、ＴＲＩおよびＴＰＭＩを一緒にコーディングすることにより取得されるフィールド内の状態が、データ伝送のために用いられるＴＲＩおよびＴＰＭＩを示すために用いられる。各ＴＲＩ値がプリコーディング行列の１つのグループに対応しており、この対応関係は、表１から表４に示される。伝送層の数が示される場合、伝送層の数に対応するプリコーディング行列のグループから選択される１つのプリコーディング行列を示すために、ＴＰＭＩが用いられる。表１２は、ＴＲＩおよびＴＰＭＩを一緒にコーディングする例である。示されている伝送層の数、すなわち、ＴＲＩは、この表において層ｘを用いることにより示されている。ｘの値の範囲は、｛１，２，３，４｝である。示されているプリコーディング行列は、この表においてＴＰＭＩ＝ｙを用いることにより示されている。ｙは、１に等しいかまたはそれよりも大きい正の整数であり、ｙの値の範囲は、表１から表４における伝送層の数の各々に対応する３つのＵＥ能力に対応するプリコーディング行列の数に基づいて決定される。本実施形態において、部分的にコヒーレントな伝送では、当該フィールドのインデックスが０から始まり、非コヒーレントな伝送に対応するプリコーディング行列が好ましくはソートされ、ソート順序が、非コヒーレントな伝送に対応するプリコーディング行列インデックスのものと同じである。非コヒーレントな伝送に対応する全てのプリコーディング行列インデックスがソートされた後に、部分的にコヒーレントな伝送に対応するプリコーディング行列インデックスがソートされる。完全にコヒーレントな伝送では、当該フィールドのインデックスが０から始まり、非コヒーレントな伝送に対応するプリコーディング行列が好ましくはソートされ、ソート順序が、非コヒーレントな伝送に対応するプリコーディング行列インデックスのものと同じである。非コヒーレントな伝送に対応する全てのプリコーディング行列インデックスがソートされた後に、部分的にコヒーレントな伝送に対応するプリコーディング行列インデックスがソートされる。非コヒーレントな伝送に対応する全てのプリコーディング行列インデックスがソートされた後に、完全にコヒーレントな伝送に対応するプリコーディング行列インデックスがソートされる。
［表１２  ＴＲＩおよびＴＰＭＩを一緒にコーディングする例］
【表３９】
2021506177.tif 000041
【表４０】
2021506177.tif 000042
【００８３】
ユーザ機器が４つのアンテナによる伝送を有し、伝送層の最大数が４であり、かつ、ＣＰ−ＯＦＤＭ波形がデータ送信のために用いられる事例に、表１２におけるシグナリングインジケーションが対応している。ユーザ機器が２つのアンテナによる伝送を有する場合、ＣＰ−ＯＦＤＭ波形がデータ送信のために用いられ、伝送層の最大数が２であり、表１３に示されるものと同じ原理に従ってシグナリングインジケーションが設計される。
［表１３  ＴＲＩおよびＴＰＭＩを一緒にコーディングする例］
【表４１】
2021506177.tif 000043
【００８４】
ユーザ機器が２つのアンテナによる伝送を有する場合、ＣＰ−ＯＦＤＭ波形がデータ送信のために用いられ、伝送層の最大数が１であり、表１４に示されるものと同じ原理に従ってシグナリングインジケーションが設計される。
［表１４  ＴＲＩおよびＴＰＭＩを一緒にコーディングする例］
【表４２】
2021506177.tif 000044
【００８５】
ＤＦＴ−Ｓ−ＯＦＤＭが用いられ、ユーザ機器が２つのアンテナによる伝送を有する場合、ＴＰＭＩが表１４に基づいて示される。
【００８６】
ユーザ機器が４つのアンテナによる伝送を有し、伝送層の最大数が３または２であり、かつ、ＣＰ−ＯＦＤＭ波形がデータ送信のために用いられる事例に、表１２におけるシグナリングインジケーションはさらに対応し得る。ユーザ機器が４つのアンテナによる伝送を有する場合、ＣＰ−ＯＦＤＭ波形がデータ送信のために用いられ、伝送層の最大数が１であり、表１５に示されるものと同じ原理に従ってシグナリングインジケーションが設計される。
［表１５  ＴＲＩおよびＴＰＭＩを一緒にコーディングする例］
【表４３】
2021506177.tif 000045
【００８７】
以上では、方法２００を参照して、方法４００の技術的詳細を詳細に説明している。従って、ここでは詳細を再度説明しない。
【００８８】
図４は、本発明の実施形態による通信デバイス９００の論理構造の例示的な概略図である。特定の実装プロセスにおいて、通信デバイス９００は、以上で説明されているアクセスデバイスまたはユーザ機器であってよい。図９に示すように、通信デバイス９００は、トランシーバモジュール９０２および処理モジュール９０４を含む。
【００８９】
通信デバイス９００がユーザ機器である場合、トランシーバモジュール９０２は、段階３０２、４０２および７０２を実行するように構成されてよく、処理モジュール９０４は、段階３０４、４０４および７０４を実行するように構成される。
【００９０】
通信デバイス９００がアクセスデバイスである場合、トランシーバモジュール９０２は、段階５０４、６０４および８０４を実行するように構成されてよく、処理モジュール９０４は、段階５０２、６０２および８０２を実行するように構成される。
【００９１】
図５は、本発明の実施形態による通信デバイス１０００のハードウェア構造の例示的な概略図である。特定の実装プロセスにおいて、通信デバイス１０００は、以上で説明されているアクセスデバイスまたはユーザ機器であってよい。図１０に示すように、通信デバイス１０００は、プロセッサ１００２、トランシーバ１００４、複数のアンテナ１００６、メモリ１００８、Ｉ／Ｏ（入力／出力、Ｉｎｐｕｔ／Ｏｕｔｐｕｔ）インタフェース１０１０およびバス１０１２を含む。メモリ１００８はさらに、命令１００８２およびデータ１００８４を格納するように構成される。加えて、プロセッサ１００２、トランシーバ１００４、メモリ１００８およびＩ／Ｏインタフェース１０１０は、バス１０１２を用いることにより互いに通信可能に接続され、複数のアンテナ１００６は、トランシーバ１００４に接続される。特定の実装プロセスにおいて、プロセッサ１００２、トランシーバ１００４、メモリ１００８およびＩ／Ｏインタフェース１０１０も、バス１０１２以外の接続方式で互いに通信可能に接続され得る。
【００９２】
プロセッサ１００２は、例としてであり限定されるものではないが、中央処理装置（Ｃｅｎｔｒａｌ  Ｐｒｏｃｅｓｓｉｎｇ  Ｕｎｉｔ，ＣＰＵ）といった汎用プロセッサであってもよく、例としてであり限定されるものではないが、デジタル信号プロセッサ（Ｄｉｇｉｔａｌ  Ｓｉｇｎａｌ  Ｐｒｏｃｅｓｓｏｒ，ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，ＡＳＩＣ）またはフィールドプログラマブルゲートアレイ（Ｆｉｅｌｄ  Ｐｒｏｇｒａｍｍａｂｌｅ  Ｇａｔｅ  Ａｒｒａｙ，ＦＰＧＡ）といった専用プロセッサであってもよい。加えて、プロセッサ１００２は、複数のプロセッサの組み合わせであってよい。プロセッサ１００２は、特定の段階および／またはオペレーションを実行するよう特に設計されたプロセッサであってもよく、メモリ１００８に格納された命令１００８２を読み出して実行することにより、特定の段階および／またはオペレーションを実行してもよい。プロセッサ１００２は、特定の段階および／またはオペレーションを実行する場合、データ１００８４を用いる必要があり得る。特に、プロセッサ１００２は、処理モジュール９０４により実行されるオペレーションを実行するように構成される。
【００９３】
トランシーバ１００４は、複数のアンテナ１００６のうちの少なくとも１つのアンテナを用いることにより信号を送信し、複数のアンテナ１００６のうちの少なくとも１つのアンテナを用いることにより信号を受信する。特に、トランシーバ１００４は、トランシーバモジュール９０２により実行されるオペレーションを実行するように構成される。
【００９４】
メモリ１００８は、ランダムアクセスメモリ（Ｒａｎｄｏｍ  Ａｃｃｅｓｓ  Ｍｅｍｏｒｙ，ＲＡＭ）、リードオンリメモリ（Ｒｅａｄ  Ｏｎｌｙ  Ｍｅｍｏｒｙ，ＲＯＭ）、不揮発性ＲＡＭ（Ｎｏｎ−Ｖｏｌａｔｉｌｅ  ＲＡＭ，ＮＶＲＡＭ）、プログラマブルＲＯＭ（Ｐｒｏｇｒａｍｍａｂｌｅ  ＲＯＭ，ＰＲＯＭ）、消去可能ＰＲＯＭ（Ｅｒａｓａｂｌｅ  ＰＲＯＭ，ＥＰＲＯＭ）、電気的消去可能ＰＲＯＭ（Ｅｌｅｃｔｒｉｃａｌｌｙ  Ｅｒａｓａｂｌｅ  ＰＲＯＭ，ＥＥＰＲＯＭ）、フラッシュメモリ、光メモリおよびレジスタなどの様々なタイプの記憶媒体を含み得る。メモリ１００８は、具体的には、命令１００８２およびデータ１００８４を格納するように構成される。プロセッサ１００２は、メモリ１００８に格納された命令１００８２を読み出して実行することにより特定の段階および／またはオペレーションを実行してよく、特定のオペレーションおよび／または段階を実行する場合、データ１００８４を用いる必要があり得る。
【００９５】
Ｉ／Ｏインタフェース１０１０は、周辺機器から命令および／またはデータを受信するように構成され、命令および／またはデータを周辺機器へ出力する。
【００９６】
特定の実装プロセスにおいて、通信デバイス１０００は別のハードウェアコンポーネントをさらに含み得ることに留意されたい。本願では、さらなる例を１つずつ列挙することはない。
【００９７】
前述の実施形態の全てまたはいくつかは、ソフトウェア、ハードウェア、ファームウェアまたはそれらの任意の組み合わせを介して実装され得る。当該実施形態を実装するためにソフトウェアが用いられる場合、当該実施形態は、コンピュータプログラム製品の形態で、完全にまたは部分的に実装され得る。コンピュータプログラム製品は、１または複数のコンピュータ命令を含む。コンピュータプログラム命令がコンピュータ上でロードおよび実行された場合、本発明の実施形態による手順または機能が全てまたは部分的に生成される。コンピュータは、汎用コンピュータ、専用コンピュータ、コンピュータネットワークまたは他のプログラム可能な装置であってよい。コンピュータ命令は、コンピュータ可読記憶媒体に格納されてもよく、コンピュータ可読記憶媒体から別のコンピュータ可読記憶媒体へ伝送されてもよい。例えば、コンピュータ命令は、ウェブサイト、コンピュータ、サーバまたはデータセンタから、別のウェブサイト、コンピュータ、サーバまたはデータセンタへ、有線（例えば、同軸ケーブル、光ファイバまたはデジタル加入者線（ＤＳＬ））または無線（例えば、赤外線、電波およびマイクロ波等）方式で伝送されてよい。コンピュータ可読記憶媒体は、コンピュータがアクセス可能な任意の使用可能な媒体であってもよく、１または複数の使用可能な媒体を統合したサーバまたはデータセンタなどのデータ記憶デバイスであってもよい。使用可能な媒体は、磁気媒体（例えば、フロッピー（登録商標）ディスク、ハードディスクまたは磁気テープ）、光媒体（例えば、ＤＶＤ）、半導体媒体（例えば、ソリッドステートディスク（ＳＳＤ））等であってよい。
【００９８】
要約すると、前述の説明は、本発明の実施形態に過ぎず、本発明の保護範囲を限定するよう意図されてはいない。本発明の趣旨および原理から逸脱することなく行われるあらゆる修正、同等の置換、または改良は、本発明の保護範囲に含まれるものとする。
【図１】
2021506177.tif 000062
【図２】
2021506177.tif 000063
【図３】
2021506177.tif 000064
【図４】
2021506177.tif 000065
【図５】
2021506177.tif 000066
【手続補正書】
【提出日】令和2年7月17日(2020.7.17)
【手続補正１】
【補正対象書類名】特許請求の範囲
【補正対象項目名】全文
【補正方法】変更
【補正の内容】
【特許請求の範囲】
【請求項１】
端末デバイスが、前記端末デバイスにおける３つのコードブックサブセット構成のうちの１つのコードブックサブセット構成のインデックスを示す伝送パラメータインジケーション情報を基地局から受信する段階であって、前記端末デバイスにおける前記３つのコードブックサブセット構成は、完全にコヒーレントと、部分的にコヒーレントと、非コヒーレントとにそれぞれ関連し、完全にコヒーレントに関連する前記コードブックサブセット構成は、Ｍ個のインデックスを含み、部分的にコヒーレントに関連する前記コードブックサブセット構成は、Ｎ個のインデックスを含み、非コヒーレントに関連する前記コードブックサブセット構成は、Ｋ個のインデックスを含み、ＭはＮよりも大きい整数であり、ＮはＫよりも大きい、段階と、
前記伝送パラメータインジケーション情報に従って、前記インデックスに関連付けられた伝送層およびプリコーディング行列を決定する段階と
を備える無線通信方法。
【請求項２】
Ｍは６４であり、Ｎは３２であり、Ｋは１６である、請求項１に記載の無線通信方法。
【請求項３】
非コヒーレントに関連する前記コードブックサブセット構成における少なくとも最初の１２個のインデックスが、部分的にコヒーレントに関連する前記コードブックサブセット構成における最初の１２個のインデックスと同じ伝送層およびプリコーディング行列に関連付けられ、部分的にコヒーレントに関連する前記コードブックサブセット構成におけるインデックスが、完全にコヒーレントに関連する前記コードブックサブセット構成における最初の３２個のインデックスと同じ伝送層およびプリコーディング行列に関連付けられる、請求項２に記載の無線通信方法。
【請求項４】
各インデックスは、伝送ランクインジケーション（ＴＲＩ）および伝送プリコーディング行列インジケーション（ＴＰＭＩ）に関連付けられる、請求項１から３のいずれか一項に記載の無線通信方法。
【請求項５】
前記伝送パラメータインジケーション情報の長さは、前記３つのコードブックサブセット構成のうちのどれが前記端末デバイスにおいて用いられているかに応じて、４ビット、５ビットまたは６ビットである、請求項１から４のいずれか一項に記載の無線通信方法。
【請求項６】
前記端末デバイスは、前記端末デバイスにおいて用いられるコードブックサブセット構成を示すコヒーレンス能力インジケーション情報を前記基地局から受信する、請求項１から５のいずれか一項に記載の無線通信方法。
【請求項７】
前記３つのコードブックサブセット構成の内容は、以下の表により表される、請求項１から６のいずれか一項に記載の無線通信方法。
【表６０】
2021506177.tif 000067
【表６１】
2021506177.tif 000068
【表６２】
2021506177.tif 000069
【表６３】
2021506177.tif 000070
【請求項８】
端末デバイスであって、
前記端末デバイスにおける３つのコードブックサブセット構成のうちの１つのコードブックサブセット構成のインデックスを示す伝送パラメータインジケーション情報を基地局から受信するように構成されたレシーバであって、前記端末デバイスにおける前記３つのコードブックサブセット構成は、完全にコヒーレントと、部分的にコヒーレントと、非コヒーレントとにそれぞれ関連し、完全にコヒーレントに関連する前記コードブックサブセット構成は、Ｍ個のインデックスを含み、部分的にコヒーレントに関連する前記コードブックサブセット構成は、Ｎ個のインデックスを含み、非コヒーレントに関連する前記コードブックサブセット構成は、Ｋ個のインデックスを含み、ＭはＮよりも大きい整数であり、ＮはＫよりも大きい、レシーバと、
前記レシーバに結合され、前記伝送パラメータインジケーション情報に従って、前記インデックスに関連付けられた伝送層およびプリコーディング行列を決定するように構成されたプロセッサと
を備える端末デバイス。
【請求項９】
Ｍは６４であり、Ｎは３２であり、Ｋは１６である、請求項８に記載の端末デバイス。
【請求項１０】
非コヒーレントに関連する前記コードブックサブセット構成における少なくとも最初の１２個のインデックスが、部分的にコヒーレントに関連する前記コードブックサブセット構成における最初の１２個のインデックスと同じ伝送層およびプリコーディング行列に関連付けられ、部分的にコヒーレントに関連する前記コードブックサブセット構成におけるインデックスが、完全にコヒーレントに関連する前記コードブックサブセット構成における最初の３２個のインデックスと同じ伝送層およびプリコーディング行列に関連付けられる、請求項９に記載の端末デバイス。
【請求項１１】
各インデックスは、伝送ランクインジケーション（ＴＲＩ）および伝送プリコーディング行列インジケーション（ＴＰＭＩ）に関連付けられる、請求項８から１０のいずれか一項に記載の端末デバイス。
【請求項１２】
前記伝送パラメータインジケーション情報の長さは、前記３つのコードブックサブセット構成のうちのどれが前記端末デバイスにおいて用いられているかに応じて、４ビット、５ビットまたは６ビットである、請求項８から１１のいずれか一項に記載の端末デバイス。
【請求項１３】
前記レシーバはさらに、前記端末デバイスにおいて用いられるコードブックサブセット構成を示すコヒーレンス能力インジケーション情報を前記基地局から受信するように構成される、
請求項８から１２のいずれか一項に記載の端末デバイス。
【請求項１４】
前記３つのコードブックサブセット構成の内容は、以下の表により表される、請求項８から１３のいずれか一項に記載の端末デバイス。
【表６４】
2021506177.tif 000071
【表６５】
2021506177.tif 000072
【表６６】
2021506177.tif 000073
【表６７】
2021506177.tif 000074
【請求項１５】
端末デバイスにおける３つのコードブックサブセット構成のうちの１つのコードブックサブセット構成のインデックスを示す伝送パラメータインジケーション情報を基地局から受信することであって、前記端末デバイスにおける前記３つのコードブックサブセット構成は、完全にコヒーレントと、部分的にコヒーレントと、非コヒーレントとにそれぞれ関連し、完全にコヒーレントに関連する前記コードブックサブセット構成は、Ｍ個のインデックスを含み、部分的にコヒーレントに関連する前記コードブックサブセット構成は、Ｎ個のインデックスを含み、非コヒーレントに関連する前記コードブックサブセット構成は、Ｋ個のインデックスを含み、ＭはＮよりも大きい整数であり、ＮはＫよりも大きい、受信することと、
前記伝送パラメータインジケーション情報に従って、前記インデックスに関連付けられた伝送層およびプリコーディング行列を決定することと
を含むオペレーションをプロセッサに実行させるプログラム。
【請求項１６】
Ｍは６４であり、Ｎは３２であり、Ｋは１６である、請求項１５に記載のプログラム。
【請求項１７】
非コヒーレントに関連する前記コードブックサブセット構成における少なくとも最初の１２個のインデックスが、部分的にコヒーレントに関連する前記コードブックサブセット構成における最初の１２個のインデックスと同じ伝送層およびプリコーディング行列に関連付けられ、部分的にコヒーレントに関連する前記コードブックサブセット構成におけるインデックスが、完全にコヒーレントに関連する前記コードブックサブセット構成における最初の３２個のインデックスと同じ伝送層およびプリコーディング行列に関連付けられる、請求項１６に記載のプログラム。
【請求項１８】
各インデックスは、伝送ランクインジケーション（ＴＲＩ）および伝送プリコーディング行列インジケーション（ＴＰＭＩ）に関連付けられる、請求項１５に記載のプログラム。
【請求項１９】
前記伝送パラメータインジケーション情報の長さは、前記３つのコードブックサブセット構成のうちのどれが用いられているかに応じて、４ビット、５ビットまたは６ビットである、請求項１５に記載のプログラム。
【手続補正２】
【補正対象書類名】明細書
【補正対象項目名】全文
【補正方法】変更
【補正の内容】
【発明の詳細な説明】
【技術分野】
【０００１】
本発明の実施形態は、チャネル測定技術に関し、特に、チャネル測定方法およびユーザ機器に関する。
【背景技術】
【０００２】
第５世代（５Ｇ）モバイル通信技術の新無線（ＮＲ）は、コードブックベースのアップリンク伝送モードをサポートしている。基地局が、上位層シグナリングを介して、少なくとも１つのサウンディング基準信号（ＳＲＳ）リソースを構成し得る。ユーザ機器（ＵＥ）が、基地局により構成されるＳＲＳリソースとインジケーションシグナリングとに基づいて、ＳＲＳリソース上でＳＲＳを送信する。基地局は、ユーザ機器により送信されるＳＲＳを受信および測定する。基地局は、アップリンクデータを送信するようユーザ機器をスケジューリングする場合、ダウンリンク制御情報（ＤＣＩ）を介して、ＳＲＳリソースインジケーション（ＳＲＩ）、伝送ランクインジケーション（ＴＲＩ）および伝送プリコーディング行列インジケーション（ＴＰＭＩ）を示す。ＵＥは、インジケーション情報に従って、データ送信のために用いられる伝送層の数およびプリコーディングの方式を決定する。ＴＲＩおよびＴＰＭＩは、一緒にコーディングされ得る、言い換えると、伝送層の数とプリコーディング行列情報との両方が、１つのＤＣＩフィールド内の状態により示され得る。伝送層の数は、セット｛１，２，３，４｝から選択されて示され得る。ＴＰＭＩは、表１から表４に基づいて選択されて示される。
［表１  １層での伝送のコードブック］
【表１】
2021506177.tif 000075
［表２  ２層での伝送のコードブック］
【表２】
2021506177.tif 000076
［表３  ３層での伝送のコードブック］
【表３】
2021506177.tif 000077
［表４  ４層での伝送のコードブック］
【表４】
2021506177.tif 000078
【０００３】
各ランクについて３つのタイプのコヒーレンス能力が存在し、コヒーレンス能力の各タイプは、少なくとも１つのプリコーディング行列に対応している。例えば、表１では、１６個のプリコーディング行列が「完全にコヒーレント」に選択されてよく、８個のプリコーディング行列が「部分的にコヒーレント」に選択されてよく、４個のプリコーディング行列が「非コヒーレント」に選択されてよい。ＵＥは、３つのタイプのコヒーレンス能力を報告する。基地局は、ＲＲＣシグナリングを介してコードブックサブセット制限を示し、コードブックサブセット制限は、ＴＰＭＩのコードブック選択範囲を示すために用いられる。コードブックサブセット制限は、「完全にコヒーレント」、「部分的にコヒーレント」および「非コヒーレント」をそれぞれ示す３つの状態を含む。特定のインジケーション方法は、以下のとおりである。「完全にコヒーレント」に対応するコードブックと、「部分的にコヒーレント」に対応するコードブックと、「非コヒーレント」に対応するコードブックとをＴＰＭＩにより示されるコードブックセットが含むことを示すために、一方の状態が用いられる。「部分的にコヒーレント」に対応するコードブックと、「非コヒーレント」に対応するコードブックとをＴＰＭＩにより示されるコードブックセットが含むことを示すために、他方の状態が用いられる。他方の状態は、「非コヒーレント」に対応するコードブックをＴＰＭＩにより示されるコードブックセットが含むことを示すために用いられる。これら３つの状態のうちの１つのみが示され得る。ＵＥが部分的にコヒーレントな伝送能力を報告した場合、基地局は、「完全にコヒーレント」に対応するコードブックをＴＰＭＩにより示されるコードブックセットが含むことを示すことができない。ＵＥが非コヒーレントな伝送能力を報告した場合、基地局は、「完全にコヒーレント」に対応するコードブックと、「部分的にコヒーレント」に対応するコードブックとをＴＰＭＩにより示されるコードブックセットが含むことを示すことができない。このようにして、ＴＲＩおよびＴＰＭＩを一緒にコーディングすることにより取得されるフィールドのサイズが、これら３つの状態のインジケーションに基づいて変わる。
【０００４】
表１から表４は、ユーザ機器が４つのアンテナによる伝送を有し、サイクリックプレフィックス直交周波数分割多重化（ＣＰ−ＯＦＤＭ）波形をデータ送信のために用いる事例に対応している。ユーザ機器が２つのアンテナによる伝送を有し、ＣＰ−ＯＦＤＭ波形をデータ送信のために用いる場合、伝送層の数は、１または２であり、ＴＰＭＩの選択およびインジケーションは、表５に基づく。
［表５：ＣＰ−ＯＦＤＭ波形用の２アンテナコードブック］
【表５】
2021506177.tif 000079
【０００５】
離散フーリエ変換拡散ＯＦＤＭ（ＤＦＴ−Ｓ−ＯＦＤＭ）が用いられる場合、伝送層の数としてあり得るのは１のみであり、ユーザ機器が２つのアンテナによる伝送を有する場合、ＴＰＭＩの選択およびインジケーションは表６に基づき、ユーザ機器が４つのアンテナによる伝送を有する場合、ＴＰＭＩの選択およびインジケーションは表７に基づく。加えて、ネットワークデバイスは、上位層シグナリングインジケーションを用いて伝送層の数を制限することにより、サブセットの選択を伝送層の最大数のセットからに制限して、伝送層の数とＴＰＭＩとを示し得る。これにより、伝送層の数とＴＰＭＩとを示すためのシグナリングオーバヘッドを低減できる。
［表６：ＤＦＴ−Ｓ−ＯＦＤＭ波形用の２アンテナコードブック］
【表６】
2021506177.tif 000080
［表７：ＤＦＴ−Ｓ−ＯＦＤＭ波形用の４アンテナコードブック］
【表７】
2021506177.tif 000081
【発明の概要】
【０００６】
一般的に、ユーザ機器（例としてであり限定されるものではないが、スマートフォンなどの端末デバイス）は、アップリンク基準信号（例としてであり限定されるものではないが、サウンディング基準信号（ＳＲＳ））を送信する。アクセスデバイス（例としてであり限定されるものではないが、基地局）が、アップリンク基準信号を受信し、アップリンク基準信号に基づいてアップリンクチャネル測定を実行し、アップリンク伝送パラメータを決定し、例としてであり限定されるものではないが、ダウンリンク制御情報（ＤＣＩ）を用いることによりアップリンク伝送パラメータをユーザ機器に通知する。アップリンク伝送パラメータは、例としてであり限定されるものではないが、チャネル品質インジケータ（ＣＱＩ）というパラメータ、ランクインジケーション（ＲＩ）というパラメータまたはプリコーディング行列インジケータ（ＰＭＩ）というパラメータのうちの少なくとも１つを含み得る。
【０００７】
本発明の実施形態において提供される技術的解決手段では、伝送パラメータを編成するために伝送パラメータエントリセットが用いられる。具体的には、各コヒーレンス能力あ、１つの伝送パラメータエントリセットに対応している。アクセスデバイスは、必要とされる伝送パラメータエントリ（伝送パラメータインジケーション情報により示される伝送パラメータエントリ）を決定する場合、現在のコヒーレンス能力に対応する伝送パラメータエントリセットにおける各伝送パラメータエントリをトラバースし得ると共に、例としてであり限定されるものではないが、チャネル容量最大化またはチャネルスループット最大化の原理に従って、選択された伝送パラメータエントリを決定し得る。
【０００８】
前述の情報を決定する特定の処理については、従来技術を参照されたい。例えば、アクセスデバイスは、チャネル容量最大化の原理またはチャネルスループット最大化の原理に従って予め設定されたコードブックからプリコーディング行列を選択し得ると共に、プリコーディング行列の列の数をランクとして用い得る。
【０００９】
第１の態様によれば、
伝送パラメータインジケーション情報を生成する段階であって、伝送パラメータインジケーション情報は、現在のコヒーレンス能力に対応する伝送パラメータエントリセットから選択される伝送パラメータエントリを示すために用いられ、伝送パラメータエントリは、伝送層の数とプリコーディング行列とを示すために用いられる、段階と、
伝送パラメータインジケーション情報を送信する段階と
を含む伝送パラメータインジケーション方法が提供される。
【００１０】
伝送パラメータインジケーション方法は、アクセスデバイス（基地局など）により実行され得る。
【００１１】
選択された伝送パラメータエントリは、ＤＣＩを用いることにより送信され得る。
【００１２】
第１の態様に関連して、第１の態様の第１の可能な実装において、伝送パラメータエントリは、伝送パラメータエントリのインデックスと、伝送層の数の値と、プリコーディング行列のインデックスとを含み、プリコーディング行列は、伝送層の数の値とプリコーディング行列のインデックスとの両方を用いることにより一意に決定される。例えば、伝送層の数の値が１である場合、インデックス１が行列Ａを示し、または、伝送層の数の値が２である場合、インデックス１は行列Ｂを示す。従って、プリコーディング行列は、伝送層の数の値とプリコーディング行列のインデックスとの両方を用いることにより一意に決定される。
【００１３】
第１の態様に関連して、第１の態様の第２の可能な実装において、現在のコヒーレンス能力は、
「完全にコヒーレント」という能力、
「部分的なコヒーレント」という能力、および、
「非コヒーレント」という能力
のうちの１つである。
【００１４】
第１の態様の第２の可能な実装に関連して、各コヒーレンス能力に対応する伝送パラメータエントリセットが、少なくとも１つの伝送パラメータエントリを含み、「非コヒーレント」に対応する伝送パラメータエントリセットが、「部分的なコヒーレント」に対応する伝送パラメータエントリセットのサブセットであり、「部分的なコヒーレント」に対応する伝送パラメータエントリセットは、「完全にコヒーレント」に対応する伝送パラメータエントリセットのサブセットである。
【００１５】
第１の態様に関連して、第１の態様の第３の可能な実装において、方法は、
コヒーレンス能力インジケーション情報を生成する段階であって、コヒーレンス能力インジケーション情報は、現在のコヒーレンス能力を示すために用いられる、段階
をさらに含む。３つのコヒーレンス能力のうちの１つは、伝送パラメータインジケーション情報が生成される前に、ＲＲＣシグナリングを介して送信され得る。
【００１６】
第１の態様または第１の態様の第１の可能な実装から第３の可能な実装に関連して、第１の態様の第４の可能な実装において、伝送パラメータインジケーション情報は以下のとおりである。
【表８】
2021506177.tif 000082
【表９】
2021506177.tif 000083
【００１７】
第１の態様または第１の態様の第１の可能な実装から第４の可能な実装に関連して、第１の態様の第５の可能な実装において、伝送パラメータインジケーション情報は以下のとおりである。
【表１０】
2021506177.tif 000084
【表１１】
2021506177.tif 000085
【００１８】
第２の態様によれば、
伝送パラメータインジケーション情報を受信する段階であって、伝送パラメータインジケーション情報は、現在のコヒーレンス能力に対応する伝送パラメータエントリセットから選択される伝送パラメータエントリを示すために用いられ、伝送パラメータエントリは、伝送層の数とプリコーディング行列とを示すために用いられる、段階と、
伝送パラメータインジケーション情報に従って、伝送層の数とプリコーディング行列とを決定する段階と
を含む伝送パラメータインジケーション方法が提供される。
【００１９】
第２の態様に関連して、第２の態様の第１の可能な実装において、伝送パラメータエントリは、伝送パラメータエントリのインデックスと、伝送層の数の値と、プリコーディング行列のインデックスとを含み、プリコーディング行列は、伝送層の数の値とプリコーディング行列のインデックスとの両方を用いることにより一意に決定される。
【００２０】
第２の態様に関連して、第２の態様の第２の可能な実装において、現在のコヒーレンス能力は、
「完全にコヒーレント」という能力、
「部分的なコヒーレント」という能力、および、
「非コヒーレント」という能力
のうちの１つである。
【００２１】
第２の態様の第２の可能な実装に関連して、各コヒーレンス能力に対応する伝送パラメータエントリセットが、少なくとも１つの伝送パラメータエントリを含み、「非コヒーレント」に対応する伝送パラメータエントリセットが、「部分的なコヒーレント」に対応する伝送パラメータエントリセットのサブセットであり、「部分的なコヒーレント」に対応する伝送パラメータエントリセットは、「完全にコヒーレント」に対応する伝送パラメータエントリセットのサブセットである。
【００２２】
第２の態様に関連して、第２の態様の第３の可能な実装において、方法は、
コヒーレンス能力インジケーション情報を生成する段階であって、コヒーレンス能力インジケーション情報は、現在のコヒーレンス能力を示すために用いられる、段階
をさらに含む。
【００２３】
第２の態様または第２の態様の第１の可能な実装から第３の可能な実装に関連して、第２の態様の第４の可能な実装において、伝送パラメータインジケーション情報は以下のとおりである。
【表１２】
2021506177.tif 000086
【表１３】
2021506177.tif 000087
【００２４】
第２の態様または第２の態様の第１の可能な実装から第４の可能な実装に関連して、第２の態様の第５の可能な実装において、伝送パラメータインジケーション情報は以下のとおりである。
【表１４】
2021506177.tif 000088
【表１５】
2021506177.tif 000089
【００２５】
第３の態様によれば、
伝送パラメータインジケーション情報を生成するように構成された処理モジュールであって、伝送パラメータインジケーション情報は、現在のコヒーレンス能力に対応する伝送パラメータエントリセットから選択される伝送パラメータエントリを示すために用いられ、伝送パラメータエントリは、伝送層の数とプリコーディング行列とを示すために用いられる、処理モジュールと、
伝送パラメータインジケーション情報を送信するように構成されたトランシーバモジュールと
を含むアクセスデバイスが提供される。
【００２６】
第３の態様に関連して、第３の態様の第１の可能な実装において、伝送パラメータエントリは、伝送パラメータエントリのインデックスと、伝送層の数の値と、プリコーディング行列のインデックスとを含み、プリコーディング行列は、伝送層の数の値とプリコーディング行列のインデックスとの両方を用いることにより一意に決定される。
【００２７】
第３の態様に関連して、第３の態様の第２の可能な実装において、現在のコヒーレンス能力は、
「完全にコヒーレント」という能力、
「部分的なコヒーレント」という能力、および、
「非コヒーレント」という能力
のうちの１つである。
【００２８】
第３の態様の第２の可能な実装に関連して、各コヒーレンス能力に対応する伝送パラメータエントリセットが、少なくとも１つの伝送パラメータエントリを含み、「非コヒーレント」に対応する伝送パラメータエントリセットが、「部分的なコヒーレント」に対応する伝送パラメータエントリセットのサブセットであり、「部分的なコヒーレント」に対応する伝送パラメータエントリセットは、「完全にコヒーレント」に対応する伝送パラメータエントリセットのサブセットである。
【００２９】
第３の態様に関連して、第３の態様の第３の可能な実装において、方法は、
コヒーレンス能力インジケーション情報を生成する段階であって、コヒーレンス能力インジケーション情報は、現在のコヒーレンス能力を示すために用いられる、段階
をさらに含む。
【００３０】
第３の態様または第３の態様の第１の可能な実装から第３の可能な実装に関連して、第３の態様の第４の可能な実装において、伝送パラメータインジケーション情報は以下のとおりである。
【表１６】
2021506177.tif 000090
【表１７】
2021506177.tif 000091
【００３１】
第３の態様または第３の態様の第１の可能な実装から第４の可能な実装に関連して、第３の態様の第５の可能な実装において、伝送パラメータインジケーション情報は以下のとおりである。
【表１８】
2021506177.tif 000092
【表１９】
2021506177.tif 000093
【００３２】
第４の態様によれば、
伝送パラメータインジケーション情報を受信するように構成されたトランシーバモジュールであって、伝送パラメータインジケーション情報は、現在のコヒーレンス能力に対応する伝送パラメータエントリセットから選択される伝送パラメータエントリを示すために用いられ、伝送パラメータエントリは、伝送層の数とプリコーディング行列とを示すために用いられる、トランシーバモジュールと、
伝送パラメータインジケーション情報に従って、伝送層の数とプリコーディング行列とを決定するように構成された処理モジュールと
を含むユーザ機器が提供される。
【００３３】
第４の態様に関連して、第４の態様の第１の可能な実装において、伝送パラメータエントリは、伝送パラメータエントリのインデックスと、伝送層の数の値と、プリコーディング行列のインデックスとを含み、プリコーディング行列は、伝送層の数の値とプリコーディング行列のインデックスとの両方を用いることにより一意に決定される。
【００３４】
第４の態様に関連して、第４の態様の第２の可能な実装において、現在のコヒーレンス能力は、
「完全にコヒーレント」という能力、
「部分的なコヒーレント」という能力、および、
「非コヒーレント」という能力
のうちの１つである。
【００３５】
第４の態様の第２の可能な実装に関連して、各コヒーレンス能力に対応する伝送パラメータエントリセットが、少なくとも１つの伝送パラメータエントリを含み、「非コヒーレント」に対応する伝送パラメータエントリセットが、「部分的なコヒーレント」に対応する伝送パラメータエントリセットのサブセットであり、「部分的なコヒーレント」に対応する伝送パラメータエントリセットは、「完全にコヒーレント」に対応する伝送パラメータエントリセットのサブセットである。
【００３６】
第４の態様に関連して、第４の態様の第３の可能な実装において、方法は、
コヒーレンス能力インジケーション情報を生成する段階であって、コヒーレンス能力インジケーション情報は、現在のコヒーレンス能力を示すために用いられる、段階
をさらに含む。
【００３７】
第４の態様または第４の態様の第１の可能な実装から第３の可能な実装に関連して、第４の態様の第４の可能な実装において、伝送パラメータインジケーション情報は以下のとおりである。
【表２０】
2021506177.tif 000094
【表２１】
2021506177.tif 000095
【００３８】
第４の態様または第４の態様の第１の可能な実装から第４の可能な実装に関連して、第４の態様の第５の可能な実装において、伝送パラメータインジケーション情報は以下のとおりである。
【表２２】
2021506177.tif 000096
【表２３】
2021506177.tif 000097
【図面の簡単な説明】
【００３９】
【図１】本発明の実施形態による無線通信ネットワークの例示的な概略図である。
【００４０】
【図２】本発明の実施形態によるチャネル測定方法の例示的なフローチャートである。
【００４１】
【図３】本発明の実施形態によるチャネル測定方法の例示的なフローチャートである。
【００４２】
【図４】本発明の実施形態による通信デバイスの論理構造の例示的な概略図である。
【００４３】
【図５】本発明の実施形態による通信デバイスのハードウェア構造の例示的な概略図である。
【発明を実施するための形態】
【００４４】
現在研究開発段階にある次世代無線通信システムは、新無線（ＮＲ）システムまたは５Ｇシステムとも称され得る。次世代無線通信規格が半静的チャネル測定をサポートすること、および、半静的チャネル測定を介して取得されるＣＳＩが、物理アップリンク共有チャネル（ＰＵＳＣＨ）を用いることにより伝送され得ることが、最新の研究により示されている。半静的チャネル測定のサポートにおいて、最初に解決されるべき課題のうちの１つは、半静的チャネル測定の開始および停止をユーザ機器へどのように通知するかということである。本発明の実施形態は、前述の課題の解決に役立つ技術的解決手段を提供する。以下では、添付図面および特定の実施形態を参照して、本発明の実施形態において提供される技術的解決手段を説明する。
【００４５】
本発明の実施形態は、通信デバイスを提供する。通信デバイスは、アクセスデバイスを実装するように構成され得るか、またはユーザ機器を実装するように構成され得る。通信デバイスは、プロセッサおよびトランシーバを含む。プロセッサは、処理モジュールのオペレーションを実行するように構成され、トランシーバは、トランシーバモジュールにより実行されるオペレーションを実行するように構成される。
【００４６】
特定の実装プロセスにおいて、プロセッサは、例としてであり限定されるものではないが、ベースバンド関連処理を実行するように構成されてよく、トランシーバは、例としてであり限定されるものではないが、無線周波数の伝送／受信を実行するように構成されてよい。前述のコンポーネントが、相互に独立したチップ上に別々に配置されてもよく、前述のコンポーネントのいくつかまたは全てが、１つのチップ上に配置されてもよい。例えば、プロセッサはさらに、アナログベースバンドプロセッサおよびデジタルベースバンドプロセッサに分類され得る。アナログベースバンドプロセッサは、同じチップ上でトランシーバと統合されてよく、デジタルベースバンドプロセッサは、独立したチップ上に配置されてよい。集積回路技術の開発が続けられることで、より多くのコンポーネントを１つのチップ上で統合できるようになる。例えば、デジタルベースバンドプロセッサは、１つのチップ上で複数のアプリケーションプロセッサ（例としてであり限定されるものではないが、グラフィック処理ユニットまたはマルチメディアプロセッサ）と統合され得る。そのようなチップは、システムオンチップ（Ｓｙｓｔｅｍ  ｏｎ  Ｃｈｉｐ）と称され得る。コンポーネントが異なるチップ上に別個に配置されるか、または、１または複数のチップ上に一体的に配置されるかは、製品設計の特定の要件によって決まる。前述のコンポーネントの特定の実装形態は、本発明の実施形態において限定されない。
【００４７】
本発明の実施形態はさらに、前述の方法を実行するように構成されたプロセッサを提供する。これらの方法が実行されている場合、前述の方法における、情報を送信および受信する処理は、プロセッサが当該情報を出力して入力情報を受信する処理として理解され得る。具体的には、プロセッサは、情報を出力する場合、情報をトランシーバへ出力する。これにより、トランシーバは、情報を伝送する。さらに、情報は、プロセッサにより出力された後、トランシーバへ到達する前に、別の方式で処理され得る。同様に、プロセッサが入力情報を受信する場合、トランシーバは、情報を受信してプロセッサに入力する。さらに、トランシーバが情報を受信した後、情報は、プロセッサに入力される前に、別の方式で処理され得る。
【００４８】
前述の原理によれば、例えば、前述の方法において言及される、伝送パラメータインジケーション情報を受信する段階は、入力された伝送パラメータインジケーション情報をプロセッサが受信する段階として理解され得る。別の例では、伝送パラメータインジケーション情報を送信する段階は、プロセッサが伝送パラメータインジケーション情報を出力する段階として理解され得る。
【００４９】
このようにして、プロセッサを必要とする伝送、送信および受信などのオペレーションについては、特別な説明がない場合、または、関連する説明において当該オペレーションが当該オペレーションの実際の機能または内部ロジックと矛盾しない場合、当該オペレーションは、無線周波数回路およびアンテナにより直接実行される伝送オペレーション、送信オペレーションおよび受信オペレーションの代わりのプロセッサにより実行される出力オペレーションおよび入力受信オペレーションとしてより一般的に理解され得る。
【００５０】
特定の実装プロセスにおいて、プロセッサは、これらの方法を実行する専用プロセッサであってもよく、メモリ内のコンピュータ命令を実行することによりこれらの方法を実行するプロセッサ、例えば、汎用プロセッサであってもよい。メモリは、非一時的（ｎｏｎ−ｔｒａｎｓｉｔｏｒｙ）メモリ、例えば、リードオンリメモリ（ＲＯＭ）であってよい。メモリが１つのチップ上でプロセッサと統合されてもよく、メモリおよびプロセッサが異なるチップ上に別々に配置されてもよい。メモリのタイプと、メモリおよびプロセッサを配置する方式とは、本発明の実施形態において限定されない。
【００５１】
本発明の実施形態によれば、命令を含むコンピュータ可読記憶媒体が提供される。命令がコンピュータ上で動作した場合、コンピュータが前述の方法を実行する。さらに、コンピュータ可読記憶媒体は、非一時的コンピュータ可読記憶媒体である。
【００５２】
本発明の実施形態の第２１の態様によれば、命令を含むコンピュータプログラム製品が提供される。命令がコンピュータ上で動作した場合、コンピュータが前述の方法を実行する。
【００５３】
図１は、本発明の実施形態による無線通信ネットワーク１００の例示的な概略図である。図１に示すように、無線通信ネットワーク１００は、基地局１０２から１０６と、端末デバイス１０８から１２２とを含む。基地局１０２から１０６は、バックホール（ｂａｃｋｈａｕｌ）リンク（基地局１０２から１０６の間の直線により示される）を用いることにより、互いに通信し得る。バックホールリンクは、有線バックホールリンク（例えば、光ファイバおよび銅線）であってもよく、無線バックホールリンク（例えば、マイクロ波）であってもよい。端末デバイス１０８から１２２は、無線リンク（基地局１０２から１０６と端末デバイス１０８から１２２との間の折れ線により示される）を用いることにより、対応する基地局１０２から１０６と通信し得る。
【００５４】
基地局１０２から１０６は通常、通常であればユーザ機器として機能する端末デバイス１０８から１２２のための無線アクセスサービスを提供するアクセスデバイスとして機能する。具体的には、各基地局は、サービスカバレッジエリア（セルとも称され、図１において楕円エリアにより示される）に対応しており、当該エリアに入った端末デバイスが、無線信号を用いることにより基地局と通信し、これにより、基地局により提供される無線アクセスサービスを取得し得る。基地局のサービスカバレッジエリアは、重複することがあり、重複エリア内の端末デバイスは、複数の基地局から無線信号を受信し得る。従って、基地局は、互いに連携して、端末デバイスのためのサービスを提供し得る。例えば、複数の基地局は、協調マルチポイント伝送／受信（ＣｏＭＰ）技術を用いることにより、重複エリア内の端末デバイスのためのサービスを提供し得る。例えば、図１に示すように、基地局１０２および基地局１０４のサービスカバレッジエリアが重複エリアを有し、端末デバイス１１２が当該重複エリアに位置する。従って、端末デバイス１１２は、基地局１０２および基地局１０４の各々から無線信号を受信し得る。基地局１０２および基地局１０４は、互いに連携して、端末デバイス１１２のためのサービスを提供し得る。別の例では、図１に示すように、基地局１０２、基地局１０４および基地局１０６のサービスカバレッジエリアが共通の重複エリアを有し、端末デバイス１２０が当該重複エリアに位置する。従って、端末デバイス１２０は、基地局１０２、１０４および１０６の各々から無線信号を受信し得る。基地局１０２、１０４および１０６は、互いに連携して、端末デバイス１２０のためのサービスを提供する。
【００５５】
基地局は、どの無線通信技術が用いられるかに応じて、ノードＢ（ＮｏｄｅＢ）、進化型ノードＢ（ｅｖｏｌｖｅｄ  ＮｏｄｅＢ，ｅＮｏｄｅＢ）、アクセスポイント（ＡＰ）等とも称され得る。あるいは、提供されるサービスカバレッジエリアのサイズに基づいて、基地局は、マクロセル（Ｍａｃｒｏ  ｃｅｌｌ）を提供するように構成されたマクロ基地局、ピコセル（Ｐｉｃｏ  ｃｅｌｌ）を提供するように構成されたマイクロ基地局、およびフェムトセル（Ｆｅｍｔｏ  ｃｅｌｌ）を提供するように構成されたフェムト基地局に分類され得る。無線通信技術の進化が続くことで、将来の基地局は、別の名前を用い得る。
【００５６】
端末デバイス１０８から１２２は、例としてであり限定されるものではないが、携帯電話、コードレス電話、パーソナルデジタルアシスタント（Ｐｅｒｓｏｎａｌ  Ｄｉｇｉｔａｌ  Ａｓｓｉｓｔａｎｔ，ＰＤＡ）、スマートフォン、ノートブックコンピュータ、タブレットコンピュータ、無線データカード、無線モデム（Ｍｏｄｅｍ）、またはスマートウォッチなどのウェアラブルデバイスといった、無線通信機能を有する様々な無線通信デバイスであってよい。モノのインターネット（ＩｏＴ）技術およびビークルツーエブリシング（Ｖ２Ｘ）技術が出現したことで、例としてであり限定されるものではないが、家庭用電気器具、輸送車両、ツールデバイス、サービスデバイスおよびサービス設備といった、かつての通信機能がなかったより多くのデバイスが、無線通信機能を取得することにより無線通信ネットワークにアクセスして遠隔制御されるよう無線通信ユニットを構成し始めている。無線通信ユニットと共に構成されたそのようなデバイスは、無線通信機能を有するので、無線通信デバイスに属する。加えて、端末デバイス１０８から１２２は、移動局、モバイルデバイス、モバイル端末、無線端末、ハンドヘルドデバイス、クライアント等とも称され得る。
【００５７】
基地局１０２から１０６と端末デバイス１０８から１２２との各々は、複数のアンテナと共に構成されることにより、多入力多出力（ＭＩＭＯ）技術をサポートできる。さらに、基地局１０２から１０６と端末デバイス１０８から１２２とは、シングルユーザＭＩＭＯ（Ｓｉｎｇｌｅ−Ｕｓｅｒ  ＭＩＭＯ，ＳＵ−ＭＩＭＯ）技術をサポートし得るか、またはマルチユーザＭＩＭＯ（Ｍｕｌｔｉ−Ｕｓｅｒ  ＭＩＭＯ，ＭＵ−ＭＩＭＯ）技術をサポートし得る。ＭＵ−ＭＩＭＯは、空間分割多元接続（ＳＤＭＡ）技術に基づいて実装され得る。複数のアンテナが構成されるので、基地局１０２から１０６と端末デバイス１０８から１２２とはまた、単入力単出力（ＳＩＳＯ）技術、単入力多出力（ＳＩＭＯ）技術および多入力単出力（ＭＩＳＯ）技術を柔軟にサポートすることにより、様々なダイバーシティ技術（例としてであり限定されるものではないが、伝送ダイバーシティおよび受信ダイバーシティ）ならびに多重化技術を実装し得る。ダイバーシティ技術は、限定されるものではないが、伝送ダイバーシティ（ＴＤ）技術および受信ダイバーシティ（ＲＤ）技術を含み得る。多重化技術は、空間多重化（Ｓｐａｔｉａｌ  Ｍｕｌｔｉｐｌｅｘｉｎｇ）技術であってよい。前述の技術は、複数の実装上の解決手段をさらに含み得る。例えば、伝送ダイバーシティ技術は、例としてであり限定されるものではないが、時空伝送ダイバーシティ（ＳＴＴＤ）、空間周波数伝送ダイバーシティ（ＳＦＴＤ）、時間切り替え伝送ダイバーシティ（ＴＳＴＤ）、周波数切り替え伝送ダイバーシティ（ＦＳＴＤ）、直交伝送ダイバーシティ（ＯＴＤ）、巡回遅延ダイバーシティ（ＣＤＤ）および別のダイバーシティ方式を含んでよく、前述のダイバーシティ方式から派生したか、前述のダイバーシティ方式から進化したか、または前述のダイバーシティ方式のいずれかを組み合わせたダイバーシティ方式をさらに含んでよい。例えば、現在、ロングタームエボリューション（ＬＴＥ）規格が、時空ブロックコーディング（ＳＴＢＣ）、空間周波数ブロックコーディング（ＳＦＢＣ）およびＣＤＤなどの伝送ダイバーシティ方式を用いている。以上では、例を用いることにより、伝送ダイバーシティを一般的に説明している。当業者であれば、伝送ダイバーシティは前述の例以外の実装をさらに含むことを理解するはずである。従って、前述の説明は、本発明の技術的解決手段に対する限定として解釈されるべきではない。本発明の技術的解決手段は、様々な可能な伝送ダイバーシティ解決手段に適用可能なものとして理解されるべきである。
【００５８】
加えて、基地局１０２から１０６と端末デバイス１０８から１２２とは、例としてであり限定されるものではないが、時分割多元接続（ＴＤＭＡ）技術、周波数分割多元接続（ＦＤＭＡ）技術、符号分割多元接続（ＣＤＭＡ）技術、時分割同期符号分割多元接続（ＴＤ−ＳＣＤＭＡ）技術、直交周波数分割多元接続（ＯＦＤＭＡ）技術、シングルキャリア周波数分割多元接続（ＳＣ−ＦＤＭＡ）技術、空間分割多元接続（ＳＤＭＡ）技術およびこれらの技術から進化または派生した技術といった様々な無線通信技術を用いることにより、互いに通信し得る。前述の無線通信技術は、多くの無線通信規格において無線アクセス技術（ＲＡＴ）として用いられる。これにより、限定されるものではないが、グローバルシステムフォーモバイルコミュニケーションズ（ＧＳＭ（登録商標））、ＣＤＭＡ２０００、広帯域ＣＤＭＡ（ＷＣＤＭＡ（登録商標））、一連の８０２．２２規格において定義されるＷｉＦｉ（登録商標）、ワールドワイドインターオペラビリティフォーマイクロウェーブアクセス（ＷｉＭａｘ（登録商標））、ＬＴＥ、ＬＴＥアドバンスト（ＬＴＥ−Ａ）、これらの無線通信システムから進化したシステム等を含む様々な周知の無線通信システム（またはネットワーク）が構築される。別段の記載がない限り、本発明の実施形態において提供される技術的解決手段は、前述の無線通信技術および無線通信システムに適用され得る。加えて、「システム」および「ネットワーク」という用語を入れ替えることができる。
【００５９】
図１に示す無線通信ネットワーク１００は、例として用いられているに過ぎず、本発明の技術的解決手段を限定することは意図されていないことに留意されたい。当業者であれば、特定の実装プロセスにおいて、無線通信ネットワーク１００は、別のデバイスをさらに含んでよく、特定の要件に基づいて基地局および端末デバイスの数を設定してよいことを理解するはずである。
【００６０】
図２は、本発明の実施形態によるチャネル測定方法３００の例示的なフローチャートである。特定の実装プロセスにおいて、方法３００は、ユーザ機器により実行され得る。
【００６１】
段階３０２：現在のコヒーレンス能力に対応する伝送パラメータエントリセットから選択されて伝送層の数とプリコーディング行列とを示すために用いられる伝送パラメータエントリを示すために用いられる伝送パラメータインジケーション情報を受信する。
【００６２】
段階３０４：伝送パラメータインジケーション情報を送信する。
【００６３】
本発明の実施形態１において、ＴＲＩおよびＴＰＭＩを一緒にコーディングすることにより取得されるフィールド内の状態が、データ伝送のために用いられるＴＲＩおよびＴＰＭＩを示すために用いられる。各ＴＲＩ値がプリコーディング行列の１つのグループに対応しており、この対応関係は、表１から表４に示される。伝送層の数が示される場合、伝送層の数に対応するプリコーディング行列のグループから選択される１つのプリコーディング行列を示すために、ＴＰＭＩが用いられる。表８は、ＴＲＩおよびＴＰＭＩを一緒にコーディングする例である。示されている伝送層の数、すなわち、ＴＲＩは、この表において層ｘを用いることにより示されている。ｘの値の範囲は、｛１，２，３，４｝である。示されているプリコーディング行列は、この表においてＴＰＭＩ＝ｙを用いることにより示されている。ｙは、１に等しいかまたはそれよりも大きい正の整数であり、ｙの値の範囲は、表１から表４における伝送層の数の各々に対応する３つのＵＥ能力に対応するプリコーディング行列の数に基づいて決定される。本実施形態において、各ＵＥ能力について、ＴＲＩおよびＴＰＭＩを一緒にコーディングすることにより取得されるフィールドのインデックスが、ランクの昇順でソートされる。表８に示すように、「完全にコヒーレント」な伝送容量の事例では、当該フィールドのインデックス０から２７が、層１での伝送を示し、各インデックスは、層１での伝送に対応しており、かつ、「完全にコヒーレント」に対応するコードワードと、「部分的にコヒーレント」に対応するコードワードと、「非コヒーレント」に対応するコードワードとを含む１つのプリコーディング行列インデックスに対応している。当該フィールドのインデックス２８から４９が、層２での伝送を示し、各インデックスは、層２での伝送に対応しており、かつ、「完全にコヒーレント」に対応するコードワードと、「部分的にコヒーレント」に対応するコードワードと、「非コヒーレント」に対応するコードワードとを含む１つのプリコーディング行列インデックスに対応している。当該フィールドのインデックス５０から５６が、層３での伝送を示し、各インデックスは、層３での伝送に対応しており、かつ、「完全にコヒーレント」に対応するコードワードと、「部分的にコヒーレント」に対応するコードワードと、「非コヒーレント」に対応するコードワードとを含む１つのプリコーディング行列インデックスに対応している。当該フィールドのインデックス５７から６１が、層４での伝送を示し、各インデックスは、層４での伝送に対応しており、かつ、「完全にコヒーレント」に対応するコードワードと、「部分的にコヒーレント」に対応するコードワードと、「非コヒーレント」に対応するコードワードとを含む１つのプリコーディング行列インデックスに対応している。
［表８  ＴＲＩおよびＴＰＭＩを一緒にコーディングする例］
【表２４】
2021506177.tif 000098
【表２５】
2021506177.tif 000099
【００６４】
ユーザ機器が４つのアンテナによる伝送を有し、伝送層の最大数が４であり、かつ、ＣＰ−ＯＦＤＭ波形がデータ送信のために用いられる事例に、表８におけるシグナリングインジケーションが対応している。ユーザ機器が２つのアンテナによる伝送を有する場合、ＣＰ−ＯＦＤＭ波形がデータ送信のために用いられ、伝送層の最大数が２であり、表９に示されるものと同じ原理に従ってシグナリングインジケーションが設計される。
［表９  ＴＲＩおよびＴＰＭＩを一緒にコーディングする例］
【表２６】
2021506177.tif 000100
【００６５】
ユーザ機器が２つのアンテナによる伝送を有する場合、ＣＰ−ＯＦＤＭ波形がデータ送信のために用いられ、伝送層の最大数が１であり、表１０に示されるものと同じ原理に従ってシグナリングインジケーションが設計される。
［表１０  ＴＲＩおよびＴＰＭＩを一緒にコーディングする例］
【表２７】
2021506177.tif 000101
【００６６】
ＤＦＴ−Ｓ−ＯＦＤＭが用いられ、ユーザ機器が２つのアンテナによる伝送を有する場合、ＴＰＭＩが表１０に基づいて示される。
【００６７】
ユーザ機器が４つのアンテナによる伝送を有し、伝送層の最大数が３または２であり、かつ、ＣＰ−ＯＦＤＭ波形がデータ送信のために用いられる事例に、表８におけるシグナリングインジケーションはさらに対応し得る。ユーザ機器が４つのアンテナによる伝送を有する場合、ＣＰ−ＯＦＤＭ波形がデータ送信のために用いられ、伝送層の最大数が１であり、表１１に示されるものと同じ原理に従ってシグナリングインジケーションが設計される。
［表１１  ＴＲＩおよびＴＰＭＩを一緒にコーディングする例］
【表２８】
2021506177.tif 000102
【００６８】
本発明の実施形態２において、ＴＲＩおよびＴＰＭＩを一緒にコーディングすることにより取得されるフィールド内の状態が、データ伝送のために用いられるＴＲＩおよびＴＰＭＩを示すために用いられる。各ＴＲＩ値がプリコーディング行列の１つのグループに対応しており、この対応関係は、表１から表４に示される。伝送層の数が示される場合、伝送層の数に対応するプリコーディング行列のグループから選択される１つのプリコーディング行列を示すために、ＴＰＭＩが用いられる。表１２は、ＴＲＩおよびＴＰＭＩを一緒にコーディングする例である。示されている伝送層の数、すなわち、ＴＲＩは、この表において層ｘを用いることにより示されている。ｘの値の範囲は、｛１，２，３，４｝である。示されているプリコーディング行列は、この表においてＴＰＭＩ＝ｙを用いることにより示されている。ｙは、１に等しいかまたはそれよりも大きい正の整数であり、ｙの値の範囲は、表１から表４における伝送層の数の各々に対応する３つのＵＥ能力に対応するプリコーディング行列の数に基づいて決定される。本実施形態において、部分的にコヒーレントな伝送では、当該フィールドのインデックスが０から始まり、非コヒーレントな伝送に対応するプリコーディング行列が好ましくはソートされ、ソート順序が、非コヒーレントな伝送に対応するプリコーディング行列インデックスのものと同じである。非コヒーレントな伝送に対応する全てのプリコーディング行列インデックスがソートされた後に、部分的にコヒーレントな伝送に対応するプリコーディング行列インデックスがソートされる。完全にコヒーレントな伝送では、当該フィールドのインデックスが０から始まり、非コヒーレントな伝送に対応するプリコーディング行列が好ましくはソートされ、ソート順序が、非コヒーレントな伝送に対応するプリコーディング行列インデックスのものと同じである。非コヒーレントな伝送に対応する全てのプリコーディング行列インデックスがソートされた後に、部分的にコヒーレントな伝送に対応するプリコーディング行列インデックスがソートされる。非コヒーレントな伝送に対応する全てのプリコーディング行列インデックスがソートされた後に、完全にコヒーレントな伝送に対応するプリコーディング行列インデックスがソートされる。
［表１２  ＴＲＩおよびＴＰＭＩを一緒にコーディングする例］
【表２９】
2021506177.tif 000103
【表３０】
2021506177.tif 000104
【００６９】
ユーザ機器が４つのアンテナによる伝送を有し、伝送層の最大数が４であり、かつ、ＣＰ−ＯＦＤＭ波形がデータ送信のために用いられる事例に、表１２におけるシグナリングインジケーションが対応している。ユーザ機器が２つのアンテナによる伝送を有する場合、ＣＰ−ＯＦＤＭ波形がデータ送信のために用いられ、伝送層の最大数が２であり、表１３に示されるものと同じ原理に従ってシグナリングインジケーションが設計される。
［表１３  ＴＲＩおよびＴＰＭＩを一緒にコーディングする例］
【表３１】
2021506177.tif 000105
【００７０】
ユーザ機器が２つのアンテナによる伝送を有する場合、ＣＰ−ＯＦＤＭ波形がデータ送信のために用いられ、伝送層の最大数が１であり、表１４に示されるものと同じ原理に従ってシグナリングインジケーションが設計される。
［表１４  ＴＲＩおよびＴＰＭＩを一緒にコーディングする例］
【表３２】
2021506177.tif 000106
【００７１】
ＤＦＴ−Ｓ−ＯＦＤＭが用いられ、ユーザ機器が２つのアンテナによる伝送を有する場合、ＴＰＭＩが表１４に基づいて示される。
【００７２】
ユーザ機器が４つのアンテナによる伝送を有し、伝送層の最大数が３または２であり、かつ、ＣＰ−ＯＦＤＭ波形がデータ送信のために用いられる事例に、表１２におけるシグナリングインジケーションはさらに対応し得る。ユーザ機器が４つのアンテナによる伝送を有する場合、ＣＰ−ＯＦＤＭ波形がデータ送信のために用いられ、伝送層の最大数が１であり、表１５に示されるものと同じ原理に従ってシグナリングインジケーションが設計される。
［表１５  ＴＲＩおよびＴＰＭＩを一緒にコーディングする例］
【表３３】
2021506177.tif 000107
【００７３】
以上では、方法２００を参照して、方法３００の技術的詳細を詳細に説明している。従って、ここでは詳細を再度説明しない。
【００７４】
図３は、本発明の実施形態によるチャネル測定方法４００の例示的なフローチャートである。特定の実装プロセスにおいて、方法４００は、ユーザ機器により実行され得る。
【００７５】
段階４０２：伝送パラメータインジケーション情報を受信する。
【００７６】
段階４０４：伝送パラメータインジケーション情報に従って、伝送層の数とプリコーディング行列とを決定する。
【００７７】
本発明の実施形態１において、ＴＲＩおよびＴＰＭＩを一緒にコーディングすることにより取得されるフィールド内の状態が、データ伝送のために用いられるＴＲＩおよびＴＰＭＩを示すために用いられる。各ＴＲＩ値がプリコーディング行列の１つのグループに対応しており、この対応関係は、表１から表４に示される。伝送層の数が示される場合、伝送層の数に対応するプリコーディング行列のグループから選択される１つのプリコーディング行列を示すために、ＴＰＭＩが用いられる。表８は、ＴＲＩおよびＴＰＭＩを一緒にコーディングする例である。示されている伝送層の数、すなわち、ＴＲＩは、この表において層ｘを用いることにより示されている。ｘの値の範囲は、｛１，２，３，４｝である。示されているプリコーディング行列は、この表においてＴＰＭＩ＝ｙを用いることにより示されている。ｙは、１に等しいかまたはそれよりも大きい正の整数であり、ｙの値の範囲は、表１から表４における伝送層の数の各々に対応する３つのＵＥ能力に対応するプリコーディング行列の数に基づいて決定される。本実施形態において、各ＵＥ能力について、ＴＲＩおよびＴＰＭＩを一緒にコーディングすることにより取得されるフィールドのインデックスが、ランクの昇順でソートされる。表８に示すように、「完全にコヒーレント」な伝送容量の事例では、当該フィールドのインデックス０から２７が、層１での伝送を示し、各インデックスは、層１での伝送に対応しており、かつ、「完全にコヒーレント」に対応するコードワードと、「部分的にコヒーレント」に対応するコードワードと、「非コヒーレント」に対応するコードワードとを含む１つのプリコーディング行列インデックスに対応している。当該フィールドのインデックス２８から４９が、層２での伝送を示し、各インデックスは、層２での伝送に対応しており、かつ、「完全にコヒーレント」に対応するコードワードと、「部分的にコヒーレント」に対応するコードワードと、「非コヒーレント」に対応するコードワードとを含む１つのプリコーディング行列インデックスに対応している。当該フィールドのインデックス５０から５６が、層３での伝送を示し、各インデックスは、層３での伝送に対応しており、かつ、「完全にコヒーレント」に対応するコードワードと、「部分的にコヒーレント」に対応するコードワードと、「非コヒーレント」に対応するコードワードとを含む１つのプリコーディング行列インデックスに対応している。当該フィールドのインデックス５７から６１が、層４での伝送を示し、各インデックスは、層４での伝送に対応しており、かつ、「完全にコヒーレント」に対応するコードワードと、「部分的にコヒーレント」に対応するコードワードと、「非コヒーレント」に対応するコードワードとを含む１つのプリコーディング行列インデックスに対応している。
［表８  ＴＲＩおよびＴＰＭＩを一緒にコーディングする例］
【表３４】
2021506177.tif 000108
【表３５】
2021506177.tif 000109
【００７８】
ユーザ機器が４つのアンテナによる伝送を有し、伝送層の最大数が４であり、かつ、ＣＰ−ＯＦＤＭ波形がデータ送信のために用いられる事例に、表８におけるシグナリングインジケーションが対応している。ユーザ機器が２つのアンテナによる伝送を有する場合、ＣＰ−ＯＦＤＭ波形がデータ送信のために用いられ、伝送層の最大数が２であり、表９に示されるものと同じ原理に従ってシグナリングインジケーションが設計される。
［表９  ＴＲＩおよびＴＰＭＩを一緒にコーディングする例］
【表３６】
2021506177.tif 000110
【００７９】
ユーザ機器が２つのアンテナによる伝送を有する場合、ＣＰ−ＯＦＤＭ波形がデータ送信のために用いられ、伝送層の最大数が１であり、表１０に示されるものと同じ原理に従ってシグナリングインジケーションが設計される。
［表１０  ＴＲＩおよびＴＰＭＩを一緒にコーディングする例］
【表３７】
2021506177.tif 000111
【００８０】
ＤＦＴ−Ｓ−ＯＦＤＭが用いられ、ユーザ機器が２つのアンテナによる伝送を有する場合、ＴＰＭＩが表１０に基づいて示される。
【００８１】
ユーザ機器が４つのアンテナによる伝送を有し、伝送層の最大数が３または２であり、かつ、ＣＰ−ＯＦＤＭ波形がデータ送信のために用いられる事例に、表８におけるシグナリングインジケーションはさらに対応し得る。ユーザ機器が４つのアンテナによる伝送を有する場合、ＣＰ−ＯＦＤＭ波形がデータ送信のために用いられ、伝送層の最大数が１であり、表１１に示されるものと同じ原理に従ってシグナリングインジケーションが設計される。
［表１１  ＴＲＩおよびＴＰＭＩを一緒にコーディングする例］
【表３８】
2021506177.tif 000112
【００８２】
本発明の実施形態２において、ＴＲＩおよびＴＰＭＩを一緒にコーディングすることにより取得されるフィールド内の状態が、データ伝送のために用いられるＴＲＩおよびＴＰＭＩを示すために用いられる。各ＴＲＩ値がプリコーディング行列の１つのグループに対応しており、この対応関係は、表１から表４に示される。伝送層の数が示される場合、伝送層の数に対応するプリコーディング行列のグループから選択される１つのプリコーディング行列を示すために、ＴＰＭＩが用いられる。表１２は、ＴＲＩおよびＴＰＭＩを一緒にコーディングする例である。示されている伝送層の数、すなわち、ＴＲＩは、この表において層ｘを用いることにより示されている。ｘの値の範囲は、｛１，２，３，４｝である。示されているプリコーディング行列は、この表においてＴＰＭＩ＝ｙを用いることにより示されている。ｙは、１に等しいかまたはそれよりも大きい正の整数であり、ｙの値の範囲は、表１から表４における伝送層の数の各々に対応する３つのＵＥ能力に対応するプリコーディング行列の数に基づいて決定される。本実施形態において、部分的にコヒーレントな伝送では、当該フィールドのインデックスが０から始まり、非コヒーレントな伝送に対応するプリコーディング行列が好ましくはソートされ、ソート順序が、非コヒーレントな伝送に対応するプリコーディング行列インデックスのものと同じである。非コヒーレントな伝送に対応する全てのプリコーディング行列インデックスがソートされた後に、部分的にコヒーレントな伝送に対応するプリコーディング行列インデックスがソートされる。完全にコヒーレントな伝送では、当該フィールドのインデックスが０から始まり、非コヒーレントな伝送に対応するプリコーディング行列が好ましくはソートされ、ソート順序が、非コヒーレントな伝送に対応するプリコーディング行列インデックスのものと同じである。非コヒーレントな伝送に対応する全てのプリコーディング行列インデックスがソートされた後に、部分的にコヒーレントな伝送に対応するプリコーディング行列インデックスがソートされる。非コヒーレントな伝送に対応する全てのプリコーディング行列インデックスがソートされた後に、完全にコヒーレントな伝送に対応するプリコーディング行列インデックスがソートされる。
［表１２  ＴＲＩおよびＴＰＭＩを一緒にコーディングする例］
【表３９】
2021506177.tif 000113
【表４０】
2021506177.tif 000114
【００８３】
ユーザ機器が４つのアンテナによる伝送を有し、伝送層の最大数が４であり、かつ、ＣＰ−ＯＦＤＭ波形がデータ送信のために用いられる事例に、表１２におけるシグナリングインジケーションが対応している。ユーザ機器が２つのアンテナによる伝送を有する場合、ＣＰ−ＯＦＤＭ波形がデータ送信のために用いられ、伝送層の最大数が２であり、表１３に示されるものと同じ原理に従ってシグナリングインジケーションが設計される。
［表１３  ＴＲＩおよびＴＰＭＩを一緒にコーディングする例］
【表４１】
2021506177.tif 000115
【００８４】
ユーザ機器が２つのアンテナによる伝送を有する場合、ＣＰ−ＯＦＤＭ波形がデータ送信のために用いられ、伝送層の最大数が１であり、表１４に示されるものと同じ原理に従ってシグナリングインジケーションが設計される。
［表１４  ＴＲＩおよびＴＰＭＩを一緒にコーディングする例］
【表４２】
2021506177.tif 000116
【００８５】
ＤＦＴ−Ｓ−ＯＦＤＭが用いられ、ユーザ機器が２つのアンテナによる伝送を有する場合、ＴＰＭＩが表１４に基づいて示される。
【００８６】
ユーザ機器が４つのアンテナによる伝送を有し、伝送層の最大数が３または２であり、かつ、ＣＰ−ＯＦＤＭ波形がデータ送信のために用いられる事例に、表１２におけるシグナリングインジケーションはさらに対応し得る。ユーザ機器が４つのアンテナによる伝送を有する場合、ＣＰ−ＯＦＤＭ波形がデータ送信のために用いられ、伝送層の最大数が１であり、表１５に示されるものと同じ原理に従ってシグナリングインジケーションが設計される。
［表１５  ＴＲＩおよびＴＰＭＩを一緒にコーディングする例］
【表４３】
2021506177.tif 000117
【００８７】
以上では、方法２００を参照して、方法４００の技術的詳細を詳細に説明している。従って、ここでは詳細を再度説明しない。
【００８８】
図４は、本発明の実施形態による通信デバイス９００の論理構造の例示的な概略図である。特定の実装プロセスにおいて、通信デバイス９００は、以上で説明されているアクセスデバイスまたはユーザ機器であってよい。図４に示すように、通信デバイス９００は、トランシーバモジュール９０２および処理モジュール９０４を含む。
【００８９】
通信デバイス９００がユーザ機器である場合、トランシーバモジュール９０２は、段階３０２、４０２および７０２を実行するように構成されてよく、処理モジュール９０４は、段階３０４、４０４および７０４を実行するように構成される。
【００９０】
通信デバイス９００がアクセスデバイスである場合、トランシーバモジュール９０２は、段階５０４、６０４および８０４を実行するように構成されてよく、処理モジュール９０４は、段階５０２、６０２および８０２を実行するように構成される。
【００９１】
図５は、本発明の実施形態による通信デバイス１０００のハードウェア構造の例示的な概略図である。特定の実装プロセスにおいて、通信デバイス１０００は、以上で説明されているアクセスデバイスまたはユーザ機器であってよい。図５に示すように、通信デバイス１０００は、プロセッサ１００２、トランシーバ１００４、複数のアンテナ１００６、メモリ１００８、Ｉ／Ｏ（入力／出力、Ｉｎｐｕｔ／Ｏｕｔｐｕｔ）インタフェース１０１０およびバス１０１２を含む。メモリ１００８はさらに、命令１００８２およびデータ１００８４を格納するように構成される。加えて、プロセッサ１００２、トランシーバ１００４、メモリ１００８およびＩ／Ｏインタフェース１０１０は、バス１０１２を用いることにより互いに通信可能に接続され、複数のアンテナ１００６は、トランシーバ１００４に接続される。特定の実装プロセスにおいて、プロセッサ１００２、トランシーバ１００４、メモリ１００８およびＩ／Ｏインタフェース１０１０も、バス１０１２以外の接続方式で互いに通信可能に接続され得る。
【００９２】
プロセッサ１００２は、例としてであり限定されるものではないが、中央処理装置（ＣＰＵ）といった汎用プロセッサであってもよく、例としてであり限定されるものではないが、デジタル信号プロセッサ（ＤＳＰ）、特定用途向け集積回路（ＡＳＩＣ）またはフィールドプログラマブルゲートアレイ（ＦＰＧＡ）といった専用プロセッサであってもよい。加えて、プロセッサ１００２は、複数のプロセッサの組み合わせであってよい。プロセッサ１００２は、特定の段階および／またはオペレーションを実行するよう特に設計されたプロセッサであってもよく、メモリ１００８に格納された命令１００８２を読み出して実行することにより、特定の段階および／またはオペレーションを実行してもよい。プロセッサ１００２は、特定の段階および／またはオペレーションを実行する場合、データ１００８４を用いる必要があり得る。特に、プロセッサ１００２は、処理モジュール９０４により実行されるオペレーションを実行するように構成される。
【００９３】
トランシーバ１００４は、複数のアンテナ１００６のうちの少なくとも１つのアンテナを用いることにより信号を送信し、複数のアンテナ１００６のうちの少なくとも１つのアンテナを用いることにより信号を受信する。特に、トランシーバ１００４は、トランシーバモジュール９０２により実行されるオペレーションを実行するように構成される。
【００９４】
メモリ１００８は、ランダムアクセスメモリ（ＲＡＭ）、リードオンリメモリ（ＲＯＭ）、不揮発性ＲＡＭ（ＮＶＲＡＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、フラッシュメモリ、光メモリおよびレジスタなどの様々なタイプの記憶媒体を含み得る。メモリ１００８は、具体的には、命令１００８２およびデータ１００８４を格納するように構成される。プロセッサ１００２は、メモリ１００８に格納された命令１００８２を読み出して実行することにより特定の段階および／またはオペレーションを実行してよく、特定のオペレーションおよび／または段階を実行する場合、データ１００８４を用いる必要があり得る。
【００９５】
Ｉ／Ｏインタフェース１０１０は、周辺機器から命令および／またはデータを受信するように構成され、命令および／またはデータを周辺機器へ出力する。
【００９６】
特定の実装プロセスにおいて、通信デバイス１０００は別のハードウェアコンポーネントをさらに含み得ることに留意されたい。本願では、さらなる例を１つずつ列挙することはない。
【００９７】
前述の実施形態の全てまたはいくつかは、ソフトウェア、ハードウェア、ファームウェアまたはそれらの任意の組み合わせを介して実装され得る。当該実施形態を実装するためにソフトウェアが用いられる場合、当該実施形態は、コンピュータプログラム製品の形態で、完全にまたは部分的に実装され得る。コンピュータプログラム製品は、１または複数のコンピュータ命令を含む。コンピュータプログラム命令がコンピュータ上でロードおよび実行された場合、本発明の実施形態による手順または機能が全てまたは部分的に生成される。コンピュータは、汎用コンピュータ、専用コンピュータ、コンピュータネットワークまたは他のプログラム可能な装置であってよい。コンピュータ命令は、コンピュータ可読記憶媒体に格納されてもよく、コンピュータ可読記憶媒体から別のコンピュータ可読記憶媒体へ伝送されてもよい。例えば、コンピュータ命令は、ウェブサイト、コンピュータ、サーバまたはデータセンタから、別のウェブサイト、コンピュータ、サーバまたはデータセンタへ、有線（例えば、同軸ケーブル、光ファイバまたはデジタル加入者線（ＤＳＬ））または無線（例えば、赤外線、電波およびマイクロ波等）方式で伝送されてよい。コンピュータ可読記憶媒体は、コンピュータがアクセス可能な任意の使用可能な媒体であってもよく、１または複数の使用可能な媒体を統合したサーバまたはデータセンタなどのデータ記憶デバイスであってもよい。使用可能な媒体は、磁気媒体（例えば、フロッピー（登録商標）ディスク、ハードディスクまたは磁気テープ）、光媒体（ＤＶＤ）、半導体媒体（ＳＳＤ）等であってよい。
【００９８】
要約すると、前述の説明は、本発明の実施形態に過ぎず、本発明の保護範囲を限定するよう意図されてはいない。本発明の原理から逸脱することなく行われるあらゆる修正、同等の置換、または改良は、本発明の保護範囲に含まれるものとする。
［項目１］
伝送パラメータインジケーション情報を生成する段階であって、上記伝送パラメータインジケーション情報は、現在のコヒーレンス能力に対応する伝送パラメータエントリセットから選択される伝送パラメータエントリを示すために用いられ、上記伝送パラメータエントリは、伝送層の数とプリコーディング行列とを示すために用いられる、段階と、
上記伝送パラメータインジケーション情報を送信する段階と
を備える伝送パラメータインジケーション方法。
［項目２］
上記伝送パラメータエントリは、上記伝送パラメータエントリのインデックスと、上記伝送層の数の値と、上記プリコーディング行列のインデックスとを含み、上記プリコーディング行列は、上記伝送層の数の上記値と上記プリコーディング行列の上記インデックスとの両方を用いることにより一意に決定される、項目１に記載の方法。
［項目３］
上記現在のコヒーレンス能力は、
「完全にコヒーレント」という能力、
「部分的なコヒーレント」という能力、および、
「非コヒーレント」という能力
のうちの１つである、
項目１に記載の方法。
［項目４］
各コヒーレンス能力に対応する伝送パラメータエントリセットが、少なくとも１つの伝送パラメータエントリを含み、「非コヒーレント」に対応する伝送パラメータエントリセットが、「部分的なコヒーレント」に対応する伝送パラメータエントリセットのサブセットであり、「部分的なコヒーレント」に対応する上記伝送パラメータエントリセットは、「完全にコヒーレント」に対応する伝送パラメータエントリセットのサブセットである、項目３に記載の方法。
［項目５］
コヒーレンス能力インジケーション情報を生成する段階であって、上記コヒーレンス能力インジケーション情報は、上記現在のコヒーレンス能力を示すために用いられる、段階
をさらに備える、項目１に記載の方法。
［項目６］
上記伝送パラメータインジケーション情報は、以下のとおりである、項目１から５のいずれか一項に記載の方法。
【表４４】
2021506177.tif 000118
【表４５】
2021506177.tif 000119
［項目７］
上記伝送パラメータインジケーション情報は、以下のとおりである、項目１から５のいずれか一項に記載の方法。
【表４６】
2021506177.tif 000120
【表４７】
2021506177.tif 000121
［項目８］
伝送パラメータインジケーション情報を受信する段階であって、上記伝送パラメータインジケーション情報は、現在のコヒーレンス能力に対応する伝送パラメータエントリセットから選択される伝送パラメータエントリを示すために用いられ、上記伝送パラメータエントリは、伝送層の数とプリコーディング行列とを示すために用いられる、段階と、
上記伝送パラメータインジケーション情報に従って、上記伝送層の数と上記プリコーディング行列とを決定する段階と
を備える伝送パラメータインジケーション方法。
［項目９］
上記伝送パラメータエントリは、上記伝送パラメータエントリのインデックスと、上記伝送層の数の値と、上記プリコーディング行列のインデックスとを含み、上記プリコーディング行列は、上記伝送層の数の上記値と上記プリコーディング行列の上記インデックスとの両方を用いることにより一意に決定される、項目８に記載の方法。
［項目１０］
上記現在のコヒーレンス能力は、
「完全にコヒーレント」という能力、
「部分的なコヒーレント」という能力、および、
「非コヒーレント」という能力
のうちの１つである、
項目８に記載の方法。
［項目１１］
各コヒーレンス能力に対応する伝送パラメータエントリセットが、少なくとも１つの伝送パラメータエントリを含み、「非コヒーレント」に対応する伝送パラメータエントリセットが、「部分的なコヒーレント」に対応する伝送パラメータエントリセットのサブセットであり、「部分的なコヒーレント」に対応する上記伝送パラメータエントリセットは、「完全にコヒーレント」に対応する伝送パラメータエントリセットのサブセットである、項目１０に記載の方法。
［項目１２］
コヒーレンス能力インジケーション情報を生成する段階であって、上記コヒーレンス能力インジケーション情報は、上記現在のコヒーレンス能力を示すために用いられる、段階
をさらに備える、項目８に記載の方法。
［項目１３］
上記伝送パラメータインジケーション情報は、以下のとおりである、項目８から１２のいずれか一項に記載の方法。
【表４８】
2021506177.tif 000122
【表４９】
2021506177.tif 000123
［項目１４］
上記伝送パラメータインジケーション情報は、以下のとおりである、項目８から１２のいずれか一項に記載の方法。
【表５０】
2021506177.tif 000124
【表５１】
2021506177.tif 000125
［項目１５］
伝送パラメータインジケーション情報を生成するように構成された処理モジュールであって、上記伝送パラメータインジケーション情報は、現在のコヒーレンス能力に対応する伝送パラメータエントリセットから選択される伝送パラメータエントリを示すために用いられ、上記伝送パラメータエントリは、伝送層の数とプリコーディング行列とを示すために用いられる、処理モジュールと、
上記伝送パラメータインジケーション情報を送信するように構成されたトランシーバモジュールと
を備えるアクセスデバイス。
［項目１６］
上記伝送パラメータエントリは、上記伝送パラメータエントリのインデックスと、上記伝送層の数の値と、上記プリコーディング行列のインデックスとを含み、上記プリコーディング行列は、上記伝送層の数の上記値と上記プリコーディング行列の上記インデックスとの両方を用いることにより一意に決定される、項目１５に記載の方法。
［項目１７］
上記現在のコヒーレンス能力は、
「完全にコヒーレント」という能力、
「部分的なコヒーレント」という能力、および、
「非コヒーレント」という能力
のうちの１つである、
項目１５に記載の方法。
［項目１８］
各コヒーレンス能力に対応する伝送パラメータエントリセットが、少なくとも１つの伝送パラメータエントリを含み、「非コヒーレント」に対応する伝送パラメータエントリセットが、「部分的なコヒーレント」に対応する伝送パラメータエントリセットのサブセットであり、「部分的なコヒーレント」に対応する上記伝送パラメータエントリセットは、「完全にコヒーレント」に対応する伝送パラメータエントリセットのサブセットである、項目１７に記載の方法。
［項目１９］
コヒーレンス能力インジケーション情報を生成する段階であって、上記コヒーレンス能力インジケーション情報は、上記現在のコヒーレンス能力を示すために用いられる、段階
をさらに備える、項目１５に記載の方法。
［項目２０］
上記伝送パラメータインジケーション情報は、以下のとおりである、項目１５から１９のいずれか一項に記載の方法。
【表５２】
2021506177.tif 000126
【表５３】
2021506177.tif 000127
［項目２１］
上記伝送パラメータインジケーション情報は、以下のとおりである、項目１５から１９のいずれか一項に記載の方法。
【表５４】
2021506177.tif 000128
【表５５】
2021506177.tif 000129
［項目２２］
伝送パラメータインジケーション情報を受信するように構成されたトランシーバモジュールであって、上記伝送パラメータインジケーション情報は、現在のコヒーレンス能力に対応する伝送パラメータエントリセットから選択される伝送パラメータエントリを示すために用いられ、上記伝送パラメータエントリは、伝送層の数とプリコーディング行列とを示すために用いられる、トランシーバモジュールと、
上記伝送パラメータインジケーション情報に従って、上記伝送層の数と上記プリコーディング行列とを決定するように構成された処理モジュールと
を備えるユーザ機器。
［項目２３］
上記伝送パラメータエントリは、上記伝送パラメータエントリのインデックスと、上記伝送層の数の値と、上記プリコーディング行列のインデックスとを含み、上記プリコーディング行列は、上記伝送層の数の上記値と上記プリコーディング行列の上記インデックスとの両方を用いることにより一意に決定される、項目２２に記載の方法。
［項目２４］
上記現在のコヒーレンス能力は、
「完全にコヒーレント」という能力、
「部分的なコヒーレント」という能力、および、
「非コヒーレント」という能力
のうちの１つである。
項目２３に記載の方法。
［項目２５］
各コヒーレンス能力に対応する伝送パラメータエントリセットが、少なくとも１つの伝送パラメータエントリを含み、「非コヒーレント」に対応する伝送パラメータエントリセットが、「部分的なコヒーレント」に対応する伝送パラメータエントリセットのサブセットであり、「部分的なコヒーレント」に対応する上記伝送パラメータエントリセットは、「完全にコヒーレント」に対応する伝送パラメータエントリセットのサブセットである、項目２４に記載の方法。
［項目２６］
コヒーレンス能力インジケーション情報を生成する段階であって、上記コヒーレンス能力インジケーション情報は、上記現在のコヒーレンス能力を示すために用いられる、段階
をさらに備える、項目２２に記載の方法。
［項目２７］
上記伝送パラメータインジケーション情報は、以下のとおりである、項目２２から２６のいずれか一項に記載の方法。
【表５６】
2021506177.tif 000130
【表５７】
2021506177.tif 000131
［項目２８］
上記伝送パラメータインジケーション情報は、以下のとおりである、項目２２から２６のいずれか一項に記載の方法。
【表５８】
2021506177.tif 000132
【表５９】
2021506177.tif 000133
【国際調査報告】
2021506177.tif 000134
2021506177.tif 000135
2021506177.tif 000136
2021506177.tif 000137